(57)【要約】  ＮＷＤＡＦ（Ｎｅｔｗｏｒｋ  Ｄａｔａ  Ａｎａｌｙｔｉｃｓ  Ｆｕｎｃｔｉｏｎ：ネットワークデータ分析機能）は、ＵＥ（Ｕｓｅｒ  Ｅｑｕｉｐｍｅｎｔ：ユーザ装置）によるセル間でのセル再選択に関する分析情報を受信する手段と、他のネットワークノードが例外を解決するためのアクションを実行するように、前記分析情報が前記例外にマッチしたことを前記他のネットワークノードに通知する手段と、を含む。【選択図】図１
2021535654.tif 000002
【特許請求の範囲】
【請求項１】
ＵＥ（Ｕｓｅｒ  Ｅｑｕｉｐｍｅｎｔ：ユーザ装置）によるセル間でのセル再選択に関する分析情報を受信する手段と、
他のネットワークノードが例外を解決するためのアクションを実行するように、前記分析情報が前記例外にマッチしたことを前記他のネットワークノードに通知する手段と、を備える、
ＮＷＤＡＦ（Ｎｅｔｗｏｒｋ  Ｄａｔａ  Ａｎａｌｙｔｉｃｓ  Ｆｕｎｃｔｉｏｎ：ネットワークデータ分析機能）。
【請求項２】
前記分析情報は、前記セル間でのセル再選択回数を含み、
前記ＮＷＤＡＦは、前記セル再選択回数に基づいて準正常ＵＥの挙動であると判定する手段を更に備え、
前記通知手段は、前記判定に応じて前記例外を含む分析情報を前記他のネットワークノードに通知する、
請求項１に記載のＮＷＤＡＦ。
【請求項３】
前記分析情報は、サービス停止中のエントリ数とカバレッジ外のエントリ数の少なくとも１つを含み、
前記ＮＷＤＡＦは、前記サービス停止中のエントリ数に基づいて準正常ＵＥの挙動であると判定する手段を更に備える、
請求項１に記載のＮＷＤＡＦ。
【請求項４】
前記分析情報はコールドロップ数を含み、
前記ＮＷＤＡＦは、前記コールドロップ数に基づいて準正常ＵＥの挙動であると判定する手段を更に備える、
請求項１に記載のＮＷＤＡＦ。
【請求項５】
前記分析情報は指定エリアへの進入及び退出の情報を含み、
前記ＮＷＤＡＦは、前記指定エリアへの進入及び退出のうち少なくとも１つに基づいて準正常ＵＥの挙動であると判定する手段を更に備える、
請求項１に記載のＮＷＤＡＦ。
【請求項６】
前記分析情報はバッテリレベルの情報を含み、
前記ＮＷＤＡＦは、前記バッテリレベルに基づいて準正常ＵＥの挙動であると手段を更に備える、
請求項１に記載のＮＷＤＡＦ。
【請求項７】
前記分析情報はリンク障害の数を含み、
前記ＮＷＤＡＦは、前記リンク障害の数に基づいて準正常ＵＥの挙動であると判定する手段を更に備える、
請求項１に記載のＮＷＤＡＦ。
【請求項８】
前記通知手段は、前記分析情報を前記例外と照合して、ＵＥ登録エリアを調整して前記例外を解決するようにＡＭＦ（Ａｃｃｅｓｓ  ａｎｄ  Ｍｏｂｉｌｉｔｙ  Ｆｕｎｃｔｉｏｎ：アクセス及びモビリティ機能）に通知する、
請求項１乃至７のいずれか１項に記載のＮＷＤＡＦ。
【請求項９】
前記通知手段は、前記分析情報を前記例外と照合して、ＵＥ登録エリアのサイズ及び形状をＵＥモビリティに合わせて調整するようにＡＭＦ（Ａｃｃｅｓｓ  ａｎｄ  Ｍｏｂｉｌｉｔｙ  Ｆｕｎｃｔｉｏｎ：アクセス及びモビリティ機能）に通知する、
請求項１乃至７のいずれか１項に記載のＮＷＤＡＦ。
【請求項１０】
前記通知手段は、前記分析情報を前記例外と照合して、前記ＵＥの位置を調整して前記例外を解決するようにサービスプロバイダに通知する、
請求項１乃至７のいずれか１項に記載のＮＷＤＡＦ。
【請求項１１】
前記例外は、「ピンポン状態のＵＥ」を含む、
請求項１乃至１０のいずれか１項に記載のＮＷＤＡＦ。
【請求項１２】
ＵＥ（Ｕｓｅｒ  Ｅｑｕｉｐｍｅｎｔ：ユーザ装置）によるセル間でのセル再選択に関する分析情報を送信する手段と、
ＮＷＤＡＦ（Ｎｅｔｗｏｒｋ  Ｄａｔａ  Ａｎａｌｙｔｉｃｓ  Ｆｕｎｃｔｉｏｎ：ネットワークデータ分析機能）から前記分析情報が例外にマッチしたことを受信する手段と、
前記例外を解決するためのアクションを実行する手段と、を備える、
ＡＭＦ（Ａｃｃｅｓｓ  ａｎｄ  Ｍｏｂｉｌｉｔｙ  Ｆｕｎｃｔｉｏｎ：アクセス及びモビリティ機能）。
【請求項１３】
前記分析情報は、前記セル間でのセル再選択回数を含む、
請求項１２に記載のＡＭＦ。
【請求項１４】
前記分析情報は、サービス停止中のエントリ数とカバレッジ外のエントリ数の少なくとも１つを含む、
請求項１２に記載のＡＭＦ。
【請求項１５】
前記分析情報はコールドロップ数を含む、
請求項１２に記載のＡＭＦ。
【請求項１６】
前記分析情報は、指定エリアへの進入及び退出の情報を含む、
請求項１２に記載のＡＭＦ。
【請求項１７】
前記分析情報は、バッテリレベルの情報を含む、
請求項１２に記載のＡＭＦ。
【請求項１８】
前記分析情報は、リンク障害の数を含む、
請求項１２に記載のＡＭＦ。
【請求項１９】
前記アクションを実行する手段は、ＵＥ登録エリアを調整して前記例外を解決する、
請求項１２乃至１８のいずれか１項に記載のＡＭＦ。
【請求項２０】
前記アクションを実行する手段は、ＵＥ登録エリアのサイズと形状をＵＥモビリティに合わせて調整する、
請求項１２乃至１８のいずれか１項に記載のＡＭＦ。
【請求項２１】
ＵＥ（Ｕｓｅｒ  Ｅｑｕｉｐｍｅｎｔ：ユーザ装置）によるセル間でのセル再選択に関する分析情報を受信することと、
他のネットワークノードが例外を解決するためのアクションを実行するように、前記分析情報を前記例外と照合するように前記他のネットワークノードに通知することと、を備える、
ＮＷＤＡＦ（Ｎｅｔｗｏｒｋ  Ｄａｔａ  Ａｎａｌｙｔｉｃｓ  Ｆｕｎｃｔｉｏｎ：ネットワークデータ分析機能）の制御方法。
【請求項２２】
前記分析情報は、前記セル間でのセル再選択の回数を含み、
前記制御方法は、前記セル再選択の回数に基づいて前記ＵＥの異常な挙動を判定することを更に備え、
前記通知は、前記判定に応じて前記例外を含む分析情報を前記他のネットワークノードに通知することを含む、
請求項２１に記載の制御方法。
【請求項２３】
前記分析情報は、サービス停止中のエントリ数とカバレッジ外のエントリ数の少なくとも１つを含み、
前記制御方法は、前記サービス停止中のエントリ数に基づいて準正常ＵＥの挙動であると判定することを更に備える、
請求項２１に記載の制御方法。
【請求項２４】
前記分析情報は、コールドロップ数を含み、
前記制御方法は、前記コールドロップ数に基づいて準正常ＵＥの挙動であると判定することを更に備える、
請求項２１に記載の制御方法。
【請求項２５】
前記分析情報は、指定エリアへの進入及び退出の情報を含み、
前記制御方法は、前記指定エリアへの進入及び退出のうち少なくとも１つに基づいて準正常ＵＥの挙動であると判定することを更に備える、
請求項２１に記載の制御方法。
【請求項２６】
前記分析情報は、バッテリレベルの情報を含み、
前記制御方法は、前記バッテリレベルに基づいて準正常ＵＥの挙動であると判定することを更に備える、
請求項２１に記載の制御方法。
【請求項２７】
前記分析情報は、リンク障害の数を含み、
前記制御方法は、前記リンク障害の数に基づいて準正常ＵＥの挙動であると判定することを更に備える、
請求項２１に記載の制御方法。
【請求項２８】
前記通知は、前記分析情報を前記例外と照合して、ＵＥ登録エリアを調整して前記例外を解決するようにＡＭＦ（Ａｃｃｅｓｓ  ａｎｄ  Ｍｏｂｉｌｉｔｙ  Ｆｕｎｃｔｉｏｎ：アクセス及びモビリティ機能）に通知することを含む、
請求項２１乃至２７のいずれか１項に記載の制御方法。
【請求項２９】
前記通知は、前記分析情報を前記例外と照合して、ＵＥ登録エリアのサイズ及び形状をＵＥモビリティに合わせて調整するようにＡＭＦ（Ａｃｃｅｓｓ  ａｎｄ  Ｍｏｂｉｌｉｔｙ  Ｆｕｎｃｔｉｏｎ：アクセス及びモビリティ機能）に通知することを含む、
請求項２１乃至２７のいずれか１項に記載の制御方法。
【請求項３０】
前記通知は、前記分析情報を前記例外と照合して、前記ＵＥの位置を調整して前記例外を解決するようにサービスプロバイダに通知することを含む、
請求項２１乃至２７のいずれか１項に記載の制御方法。
【請求項３１】
前記例外は、「ピンポン状態のＵＥ」を含む、
請求項２１乃至３０のいずれか１項に記載の制御方法。
【請求項３２】
ＵＥ（Ｕｓｅｒ  Ｅｑｕｉｐｍｅｎｔ：ユーザ装置）によるセル間でのセル再選択に関する分析情報を送信することと、
ＮＷＤＡＦ（Ｎｅｔｗｏｒｋ  Ｄａｔａ  Ａｎａｌｙｔｉｃｓ  Ｆｕｎｃｔｉｏｎ：ネットワークデータ分析機能）から前記分析情報が例外にマッチしたことを受信することと、
前記例外を解決するためのアクションを実行することと、を備える、
ＡＭＦ（Ａｃｃｅｓｓ  ａｎｄ  Ｍｏｂｉｌｉｔｙ  Ｆｕｎｃｔｉｏｎ：アクセス及ビモビリティ機能）の制御方法。
【請求項３３】
前記分析情報は、前記セル間でのセル再選択回数を含む、
請求項３２に記載の制御方法。
【請求項３４】
前記分析情報は、サービス停止中のエントリ数とカバレッジ外のエントリ数の少なくとも１つを含む、
請求項３２に記載の制御方法。
【請求項３５】
前記分析情報はコールドロップ数を含む、
請求項３２に記載の制御方法。
【請求項３６】
前記分析情報は、指定エリアへの進入及び退出の情報を含む、
請求項３２に記載の制御方法。
【請求項３７】
前記分析情報は、バッテリレベルの情報を含む、
請求項３２に記載の制御方法。
【請求項３８】
前記分析情報は、リンク障害の数を含む、
請求項３２に記載の制御方法。
【請求項３９】
前記アクションの実行は、ＵＥ登録エリアを調整して前記例外を解決することを含む、
請求項３２乃至３８のいずれか１項に記載の制御方法。
【請求項４０】
前記アクションの実行は、ＵＥ登録エリアのサイズ及び形状をＵＥモビリティに合わせて調整することを含む、
請求項３２乃至３８のいずれか１項に記載の制御方法。
【発明の詳細な説明】
【技術分野】
【０００１】
本開示は、通信システムに関する。特に、本開示は、３ＧＰＰ（３ｒｄ  Ｇｅｎｅｒａｔｉｏｎ  Ｐａｒｔｎｅｒｓｈｉｐ  Ｐｒｏｊｅｃｔ）規格、又はこれと同等もしくは派生の規格に従って動作する無線通信システム及びそのデバイスに関するが、これに限定されない。特に、本開示は、パフォーマンスの向上と監督のためにＵＥ（Ｕｓｅｒ  Ｅｑｕｉｐｍｅｎｔ：ユーザ装置）から分析結果／情報を提供すること、ネットワークがＵＥから収集する情報の種類、ＵＥが分析情報を収集する方法、及びネットワークが分析情報をどのように使用するかに関するが、これらに限定されない。
【背景技術】
【０００２】
ここ数年、ＩｏＴ（Ｉｎｔｅｒｎｅｔ  ｏｆ  Ｔｈｉｎｇｓ：モノのインターネット）標準が大幅に進化した。ＩｏＴにより、アプリケーションやネットワークに接続されたマシンが、人の介入なしに、相互に又はサーバと通信を行うことができる。
【０００３】
大半のＩｏＴアプリケーションは小規模なデータをやり取りすればよく、データを送信する頻度も低いが、従来のモバイルネットワークはこれを効率的にハンドリングすることができなかった。
【０００４】
Ｒｅｌ−１２において、３ＧＰＰは、低データトラフィック、低電力消費、低モデムコスト等のＩｏＴ要件をハンドリングするためにいくつかの拡張機能を追加した。
【０００５】
Ｒｅｌ−１３において、３ＧＰＰは、狭帯域ＩｏＴアプリケーションをサポートする拡張機能のセットを導入して、屋内カバレッジの向上、多数の低スループットデバイスをサポートすること、低遅延感度、低デバイスコスト、低デバイス電力消費、及びネットワークアーキテクチャの最適化に対処した。
【０００６】
Ｒｅｌ−１４において、３ＧＰＰは、ＩｏＴ機能を更に拡張し、電力消費の改善、遅延耐性アプリケーションのハンドリングの改善等を行った。
【０００７】
Ｒｅｌ−１５（５Ｇ）において、更なるＣＩｏＴ（Ｃｅｌｌｕｌａｒ  Ｉｎｔｅｒｎｅｔ  ｏｆ  Ｔｈｉｎｇｓ：セルラＩｏＴ）の発展と共に、３ＧＰＰが注目する分野の１つが、ｍＩｏＴ（ｍａｓｓｉｖｅ  Ｉｎｔｅｒｎｅｔ  ｏｆ  Ｔｈｉｎｇｓ：大規模ＩｏＴ）である。
【０００８】
３ＧＰＰ  ５Ｇの仕様の進化に伴い、３ＧＰＰセルラネットワークは、大規模ＩｏＴの展開に対する準備が整っており、多様なＩｏＴ要件をサポートすることができる。
【発明の概要】
【発明が解決しようとする課題】
【０００９】
ｍＩｏＴ機能は、多様な用途シナリオやバーティカル産業において需要が見込まれる。一部のバーティカル産業では、特定のグループについて、サービスの動向、データトラフィック、及び移動範囲が明らかな規則性を示す可能性がある。
【００１０】
５Ｇ  ｍＩｏＴのビジネスモデルは多様化しており、ｍＩｏＴ端末の動作がユースケース毎に大きく異なる可能性があるため、サービス品質と省電力の要件も異なる。
【００１１】
ｍＩｏＴは、１平方キロメートルあたり少なくとも１００万台のデバイスが存在することとして３ＧＰＰで定義されている「大規模スケール」に達すると予測されている。このため、モバイルネットワークは、通信頻度が低く、かつ超高エネルギー効率によって１０年という非常に長いバッテリ寿命を実現することのできるシンプルなデバイスをより効率的にサポートする必要がある。
【００１２】
したがって、オペレータにとっては、モバイル端末（通常のモバイル端末及びＣＩｏＴ／ｍＩｏＴデバイス）によって生成されたデータを分析し、サービスパラメータを最適化してパフォーマンスを向上させることができるという利点がある。
【００１３】
３ＧＰＰは、モバイル端末のパフォーマンスの向上及び監督をサポートするために、以下の問題を（５Ｇ  ＣＩｏＴ研究及びｅＮＡの研究項目において）探求している：
パフォーマンスの向上と監督のために、どのような分析結果／情報をモバイル端末から提供することができるか；
どのような種類の情報をネットワークが携帯端末から収集するか；
どのようにしてネットワークがモバイル端末から分析情報を収集するか；及び
どのようにしてネットワークが分析情報を利用するか。
【課題を解決するための手段】
【００１４】
本開示の一態様によれば、ＮＷＤＡＦ（Ｎｅｔｗｏｒｋ  Ｄａｔａ  Ａｎａｌｙｔｉｃｓ  Ｆｕｎｃｔｉｏｎ：ネットワークデータ分析機能）は、ＵＥ（Ｕｓｅｒ  Ｅｑｕｉｐｍｅｎｔ：ユーザ装置）によるセル間でのセル再選択に関する分析情報を受信する手段と、他のネットワークノードが例外を解決するためのアクションを実行するように、前記分析情報が前記例外にマッチしたことを前記他のネットワークノードに通知する手段と、を含む。
【００１５】
本開示の別の一態様によれば、ＡＭＦ（Ａｃｃｅｓｓ  ａｎｄ  Ｍｏｂｉｌｉｔｙ  Ｆｕｎｃｔｉｏｎ：アクセス及びモビリティ機能）は、ＵＥ（Ｕｓｅｒ  Ｅｑｕｉｐｍｅｎｔ：ユーザ装置）によるセル間でのセル再選択に関する分析情報を送信する手段と、ＮＷＤＡＦ（Ｎｅｔｗｏｒｋ  Ｄａｔａ  Ａｎａｌｙｔｉｃｓ  Ｆｕｎｃｔｉｏｎ：ネットワークデータ分析機能）から前記分析情報が例外にマッチしたことを受信する手段と、前記例外を解決するためのアクションを実行する手段と、を含む。
【００１６】
本開示の別の一態様によれば、ＮＷＤＡＦ（Ｎｅｔｗｏｒｋ  Ｄａｔａ  Ａｎａｌｙｔｉｃｓ  Ｆｕｎｃｔｉｏｎ：ネットワークデータ分析機能）の制御方法は、ＵＥ（Ｕｓｅｒ  Ｅｑｕｉｐｍｅｎｔ：ユーザ装置）によるセル間でのセル再選択に関する分析情報を受信することと、他のネットワークノードが例外を解決するためのアクションを実行するように、前記分析情報を前記例外と照合するように前記他のネットワークノードに通知することと、を含む。
【００１７】
本開示の別の一態様によれば、ＡＭＦ（Ａｃｃｅｓｓ  ａｎｄ  Ｍｏｂｉｌｉｔｙ  Ｆｕｎｃｔｉｏｎ：アクセス及びモビリティ機能）の制御方法は、ＵＥ（Ｕｓｅｒ  Ｅｑｕｉｐｍｅｎｔ：ユーザ装置）によるセル間でのセル再選択に関する分析情報を送信することと、ＮＷＤＡＦ（Ｎｅｔｗｏｒｋ  Ｄａｔａ  Ａｎａｌｙｔｉｃｓ  Ｆｕｎｃｔｉｏｎ：ネットワークデータ分析機能）から前記分析情報が例外にマッチしたことを受信することと、前記例外を解決するためのアクションを実行することと、を含む。
【発明の効果】
【００１８】
所定の態様では、ＮＷＤＡＦ、ＡＭＦ、ＮＷＤＡＦの制御方法、及びＡＭＦの制御方法は、モバイル端末のパフォーマンスの向上及び監督をサポートする技術を提供する。
【図面の簡単な説明】
【００１９】
【図１】図１は、ＵＥ分析情報収集の手順を示す図である。
【図２】図２は、ＵＤＭ／ＵＤＲを介した、ネットワークエクスポージャ機能に基づくＵＥ分析情報収集の手順を示す図である。
【図３】図３は、ＡＭＦを介した、ネットワークエクスポージャ機能に基づくＵＥ分析情報収集の手順を示す図である。
【図４】図４は、ＵＥ分析データの収集とネットワークへの配信に関するユーザ同意のプロビジョニングを示す図である。
【図５】図５は、ＵＥの主要な構成要素を示すブロック図である。
【図６】図６は、例示的な（Ｒ）ＡＮノードの主要な構成要素を示すブロック図である。
【図７】図７は、ＡＭＦの主要な構成要素を示すブロック図である。
【図８】図８は、一般的なコアネットワークノード（又は機能）の主要な構成要素を示すブロック図である。
【図９】図９は、上記の態様を適用可能なモバイル（セルラ又は無線）通信システムを概略的に示す図である。
【発明を実施するための形態】
【００２０】
（ソリューション１）
モバイル端末分析情報収集（バリアント１）
【００２１】
ソリューション１は、ネットワークの自動化及び最適化（例えば、ＡＭＦ、ＮＳＳＦ、ＰＣＲＦ（Ｐｏｌｉｃｙ  ａｎｄ  Ｃｈａｒｇｉｎｇ  Ｒｕｌｅｓ  Ｆｕｎｃｔｉｏｎ：ポリシー及び課金ルール機能）、ＳＭＦ、ＵＰＦ等のネットワーク機能（ＮＦ）の機能の最適化及び向上）、並びにＵＥパフォーマンスの向上に後で使用する、モバイル端末（例えば、ＵＥ、ＣＩｏＴ、ｍＩｏＴ、ＭＴＣ（Ｍａｃｈｉｎｅ  Ｔｙｐｅ  Ｃｏｍｍｕｎｉｃａｔｉｏｎ：マシンタイプ通信）デバイス等）からの分析情報の収集を可能にするものである。図１は、ＵＥ分析情報収集の手順を示す。なお、説明を更に簡略化するため、ＵＥ３０は、ＣＩｏＴ、ＮＢ−ＣＩｏＴ（Ｎａｒｒｏｗ  Ｂａｎｄ  ＣＩｏＴ：狭帯域ＣＩｏＴ）、ｍＩｏＴ、ＭＴＣ等を含むすべての種類のモバイル端末及びデバイスに共通して用いる表現とする。
【００２２】
以下、図１でハイライトされている手順について詳細に説明する。
【００２３】
１．ＵＥ３０は、登録要求（ｒｅｇｉｓｔｒａｔｉｏｎ  ｒｅｑｕｅｓｔ）メッセージをＡＭＦ７１に送信する。ＵＥ分析レポート能力は、ＵＥ３０によって登録要求メッセージに含むことができる。また、ＵＥ分析レポート能力は、他の任意のＮＡＳメッセージ（例えば、サービス要求（ｓｅｒｖｉｃｅ  ｒｅｑｕｅｓｔ）メッセージ）内で、又はＰＤＵセッション確立（ＰＤＵ  Ｓｅｓｓｉｏｎ  ｅｓｔａｂｌｉｓｈｍｅｎｔ）やＵＥ設定更新（ＵＥ  Ｃｏｎｆｉｇｕｒａｔｉｏｎ  ｕｐｄａｔｅ）手順の最中に、ＵＥ３０によってＡＭＦ７１に伝達されうる。或いは、ＵＥ分析レポート能力は、最初に任意のＡＳ／ＲＲＣシグナリングメッセージ（例えば、ＲＲＣ接続確立要求（ＲＲＣ  ｃｏｎｎｅｃｔｉｏｎ  ｅｓｔａｂｌｉｓｈｍｅｎｔ  ｒｅｑｕｅｓｔ）、ＲＲＣ接続セットアップ完了（ＲＲＣ  ｃｏｎｎｅｃｔｉｏｎ  ｓｅｔｕｐ  ｃｏｍｐｌｅｔｅ）等）で（Ｒ）ＡＮノード５０に伝達され、そして更にＡＭＦ７１又は任意の他のネットワークノード（例えば、ＡＭＦ７１、ＰＣＲＦ、ＮＷＤＡＦ７２、ＮＳＳＦ等）に伝達されることによって、ＡＭＦ７１に伝達されうる。ＵＥ分析レポート能力は、分析の収集及び報告に関するＵＥの能力を示す。ＵＥ分析レポート能力は、シンプルなフラグ（ｔｒｕｅ／ｆａｌｓｅ）であってもよいし、ビットマップ定義の形式、又は他の形式や表現を用いることもできる。ビットマップ定義は、ＵＥ３０が収集及び報告可能な分析の種類を定義してもよい。ＵＥ３０は、単一又は複数の分析レポート能力を備えてもよい。
【００２４】
２．ＡＭＦ７１は、ユーザ識別子（又は「ＵＥ＿Ｉｄ」と呼ぶ）を使用して、Ｎｕｄｍ＿ＳＤＭ＿Ｇｅｔサービス（又は、ＵＥサブスクリプション情報の取得を目的としたサービス要求又はメッセージの他の表現）をＵＤＭ／ＵＤＲ７５（統合データ管理／ユーザデータリポジトリ）に対して起動する。ＡＭＦ７１は、Ｎｕｄｍ＿ＳＤＭ＿ＧｅｔメッセージにＵＥ分析レポート能力情報要素を含んでもよい。ＵＤＭ／ＵＤＲ７５は、以下のステップ３でＵＥ分析レポートサブスクリプション情報要素を生成する場合、ＵＥ分析レポート能力情報要素を考慮に入れる。
【００２５】
３．ＵＤＭ／ＵＤＲ７５は、ＵＥ分析レポートサブスクリプション、収集対象となる分析情報、報告方法、及びＮＷＤＡＦ名称情報要素を、Ｎｕｄｍ＿ＳＤＭ＿Ｇｅｔ応答（又は、ＵＥサブスクリプション情報の取得を目的としたサービス応答又はメッセージの他の表現）内のサブスクライバデータの一部としてＡＭＦ７１に送信する。ＵＥ分析レポートのサブスクリプションは、以下のことを検証するために、ＡＭＦ７１によって参照される：
−ＵＥ３０が分析情報の収集と配信とを実行することができるか否か、及び（オプションとして）ＵＥ３０が収集及び配信可能な分析情報のタイプ；及び
−ＵＥ分析情報の収集と配信をアクティブ化する必要があるか否か。ローミングでは、ホームネットワークオペレータは、サービスプロバイダからの入力に基づいて、又はモバイル端末自体とのやり取りに基づいて（例えば、モバイル（すなわち、ユーザ）の嗜好を考慮に入れて）、訪問先のＰＬＭＮ（Ｐｕｂｌｉｃ  Ｌａｎｄ  Ｍｏｂｉｌｅ  Ｎｅｔｗｏｒｋ：地上波公共移動通信ネットワーク）に、１つ以上のタイプの分析データの収集と配信のためのＵＥ能力をアクティブ化又は非アクティブ化するように命令することができる。
【００２６】
収集対象分析情報の情報要素は、ＵＤＭ／ＵＤＲ７５からのオプションのパラメータであり、ＵＥ３０がＵＥ分析レポートサブスクリプションに示される情報収集を行うために統計を測定する方法に関する詳細な情報をＵＥ３０に提供することを目的としたものである。これは、分析情報を補完するパラメータである。例えば、分析情報が「指定エリアへのＵＥのイン／アウト」である場合、このパラメータは、指定のエリア（例えば、セル、セルのリスト、ＴＡ、又は他の方法で定義した地理的エリア）を識別するために用いる情報を含んでもよい。
【００２７】
報告方法情報要素は、収集したデータをいつＮＷＤＡＦ７２（ネットワークデータ分析機能）に報告するかをＵＥ３０に示す。これは、期間又は満たすべき特定の条件を用いて示すことができる。例えば、分析情報が「指定エリアへのＵＥのイン／アウト」である場合、ＵＥイン／アウトのカウンタが特定／所定の数値（例えば、閾値）を超える場合を、当該パラメータとして設定してもよい。
【００２８】
ＮＷＤＡＦ名称情報要素（例えば、ＮＷＤＡＦ  Ｉｄ）は、ＡＭＦ７１がＵＥ分析レポートを送信するＮＷＤＡＦ識別子をＡＭＦ７１に示す。ＮＷＤＡＦ名称は、ＩＰ（インターネットプロトコル）アドレス又はＦＱＤＮの形式にすることができる。
【００２９】
４．ＡＭＦ７１は、登録受諾（ｒｅｇｉｓｔｒａｔｉｏｎ  ａｃｃｅｐｔ）メッセージをＵＥ３０に送信する。ＡＭＦ７１は、ＵＥ分析パラメータステータス、収集対象となる分析情報、及び報告方法の情報要素を、登録受諾メッセージ内に含む。
【００３０】
分析パラメータステータス情報要素は、ステップ１に示すように登録受諾メッセージで受信されるＵＥ分析レポート能力、ステップ３に示す（例えば、サブスクリプション又はユーザ同意を介する）ＵＤＭ／ＵＤＲ７５からのＵＥ分析レポートサブスクリプション情報、及びＡＭＦ７１のローカル設定に基づいて、ＡＭＦ７１によって構築してもよい。このアプローチでは、ＨＰＬＭＮ要件とＶＰＬＭＮ要件の両方をまとめて考慮に入れることで、ＵＥ分析パラメータステータスを構築することができる。
【００３１】
ＡＭＦ７１は、ＵＥ登録受諾メッセージに含まれるＵＥ分析レポートステータスパラメータ内に関連のフラグを設定することで、ＵＥ３０で１つ以上のタイプの分析データ収集及び配信をアクティブ化／非アクティブ化してもよい。ＵＥ分析レポートステータスパラメータは、分析データの収集及び配信のアクティブ化のタイプごとに指定のステータスビット（アクティブ／非アクティブ）が存在するビットマップであってもよい。
【００３２】
収集対象分析情報の情報要素は、ＡＭＦ７１からのオプションのパラメータであり、このメッセージに示される分析パラメータステータスのためにＵＥ３０が統計を測定する方法に関する詳細な情報をＵＥ３０に提供することを目的としたものである。これは、分析情報を補完するパラメータである。例えば、分析情報が「指定エリアへのＵＥのイン／アウト」である場合、このパラメータを使用して、エリア情報（例えば、セル、セルのリスト、ＴＡ、又は他の方法で定義した地理的エリア）を定義することができる。
【００３３】
報告方法の情報要素は、収集したデータをいつＡＭＦ７１にレポートするかをＵＥ３０に示す。これは、期間又は満たすべき特定の条件を用いて示すことができる。例えば、分析情報が「指定エリアへのＵＥのイン／アウト」である場合、ＵＥイン／アウトのカウンタが特定／所定の数値（例えば、閾値）を超えた場合、又は、指定エリアに出入りするイベントが発生した場合を、当該パラメータとして設定してもよい。
【００３４】
或いは、ＵＥ分析パラメータステータス、収集対象となる分析情報、及び報告方法の情報要素は、指定のパラメータ（フラグ又はビットマップ）として、又はＵＥポリシーパラメータの一部として、ＵＥ設定更新手順（或いは他の既存又は新規のＮＡＳ又はＡＳメッセージ）を介してＵＥ３０に配信してもよい。
【００３５】
５．ステップ４で、ＵＥ３０は、ＡＭＦ７１からの命令に基づいて、統計データをモニタリング、測定、及び収集する。ＵＥ３０は、収集及び報告が要求された統計のタイプに応じて、以下のことを行ってもよい：
−シンプルに、ＵＥ３０で発生し、かつＵＥ３０に可視のイベント（例えば、セルの再選択、バッテリ電力レベル、リンク障害の数等）をモニタリングし、これらのイベントの統計を記憶し、ネットワークによって定義されたトリガ条件に基づいて、ステップ４で、収集対象分析情報の情報要素内でこれらを報告する；及び
−新規の統計データ（例えば、ピンポン再選択回数（隣接セル間でのみ再選択を行う場合）、指定エリアへのＵＥのイン／アウト（指定エリアへの進入及び退出）、サービス停止中（ｏｕｔ−ｏｆ−ｓｅｒｖｉｃｅ）のエントリ数、コールドロップ数等）をモニタリング及び収集するために、新しい機能を利用する。ＵＥ３０は、これらのイベントの統計を記憶し、ステップ４で、ネットワークによって定義されたトリガ条件に基づいて、収集対象分析情報の情報要素内でこれらをレポートする。
【００３６】
６．報告方法の条件が満たされると、ＵＥ３０は、ＵＥ分析情報メッセージをＡＭＦ７１に送信する。ＵＥ３０は、ＵＥ分析レポート情報要素をＵＥ分析情報メッセージに含む。ＵＥ分析レポートには、収集した分析情報が含まれる。ＵＥ分析情報メッセージは、例えば以下のメッセージである：
−「ＵＥ分析情報（ＵＥ  ａｎａｌｙｔｉｃｓ  ｉｎｆｏｒｍａｔｉｏｎ）メッセージ」（又は、異なる表現による、分析情報の配信を目的とした別のメッセージ）と呼ばれる新しいメッセージ；又は
−周期的ＲＡＵ（Ｒｏｕｔｉｎｇ  Ａｒｅａ  Ｕｐｄａｔｅ：ルーティングエリア更新）／ＴＡＵ（Ｔｒａｃｋｉｎｇ  Ａｒｅａ  Ｕｐｄａｔｅ：トラッキングエリア更新）メッセージ、又は、周期的登録（Ｐｅｒｉｏｄｉｃ  Ｒｅｇｉｓｔｒａｔｉｏｎ）メッセージ、他のＮＡＳ又はＡＳメッセージ等の既存のメッセージ。
【００３７】
ＵＥ分析レポート情報は、分析情報のタイプごとに指定フィールドが存在するデータ構造であってもよい。
【００３８】
７ａ〜７ｂ．ＡＭＦ７１は、どこからＵＥ分析レポートが要求されたかに応じて、ＵＥ３０から受信したＵＥ分析情報メッセージを、Ｖ−ＮＷＤＡＦ７３とＨ−ＮＷＤＡＦ７４の両方、又はＶ−ＮＷＤＡＦ７３又はＨ−ＮＷＤＡＦ７４のいずれかに転送する。すなわち、ＵＥ分析情報メッセージは、図１のメッセージ７ａと７ｂの両方、又は７ａ又は７ｂのいずれかである。ＡＭＦ７１がＵＥ分析情報メッセージを転送するＶ−ＮＷＤＡＦ７３のアドレスは、ＡＭＦ７１でローカルに設定してもよい。
【００３９】
８ａ〜８ｂ．ＮＷＤＡＦ７２は、ＵＥ３０から分析情報を収集し、ネットワークの自動化及び最適化に使用する。ＮＳＳＦ、ＡＭＦ７１、ＰＣＦ、ＳＭＦ、ＵＰＦ、ＵＤＭ／ＵＤＲ７５等のネットワーク機能は、ＮＷＤＡＦ７２にサブスクライブして１つ又は１セットの分析情報を取得して、この情報を、ネットワークの自動化及び最適化を目的として、更に、モバイル端末のモニタリングと向上のために使用してもよい。このプロセスは、図１の８ａ及び８ｂ、或いは８ａ又は８ｂのいずれかであってもよい。
【００４０】
ＵＥ分析情報メッセージ内のＵＥ分析レポート情報要素でレポートする分析情報としては、以下のタイプが考えられる：
【００４１】
Ａ）セル再選択回数
ＵＥ３０は、所定の時間間隔ごとに（全体の又は登録エリア内のみでの）セル再選択の回数をモニタリング及びレポートすることができる。所定の時間あたりのセル再選択回数、特に、同一登録エリア内（すなわち、ＵＥ３０が登録エリアを離れない範囲）における、ネットワークが把握できないセル再選択の回数。この情報は、ネットワークの自動化と最適化、及びＵＥのパフォーマンスの向上に役立つ可能性がある。
【００４２】
（トリガ）
セル再選択の回数（全体の又は登録エリア内のみにおける回数）を報告するトリガは、例えば、周期的登録更新タイマの満了時や、セル再選択の回数が閾値（例えば、オペレータによって定義又は設定された閾値）に達したときである。セル再選択の回数の情報は、周期的ＲＡＵ／ＴＡＵ／登録等の既存のメッセージ内で、又は図１に示す指定メッセージを介して、ネットワークに配信することができる。
【００４３】
（利点）
セル再選択の回数は、ネットワークがＵＥ３０に割り当てる登録エリアの形状とサイズを決定する際に役立てることのできる、ＵＥモビリティに関する指標である。ＵＥ３０が再選択したセルのリスト及び再選択の順序を報告した場合、ＮＷＤＡＦ７２は、この情報を分析して、ＡＭＦ７１が最適のサイズ及び形状の登録エリアをＵＥ３０に割り当てるのを助けることができる。また、ＮＷＤＡＦ７２は、再選択されたセルのＵＥ分析をサービスプロバイダから提供される分析情報（例えば、自動車道路又は電車の線路の地理的位置）と合わせて使用して、ＵＥ３０ごとに最良の形状及びサイズの登録エリア（例えば、ＵＥの移動に応じた登録エリア）を構築することができる。
【００４４】
Ｂ）ピンポン再選択回数
ＵＥ３０は、隣接セル間におけるセル再選択の回数、いわゆる「ピンポン再選択」の回数を、モニタリング及びレポートしてもよい。所定の時間あたりのピンポン再選択回数は、ネットワークの自動化及び最適化において、特に固定ＵＥについて有益である可能性がある。また、ＵＥ３０は、リンク障害とともに、ＵＥ３０の３ＧＰＰリリースバージョンを提供することができる。これは、ＮＷＤＡＦ７２においてリンク障害の原因の分析を行うのを助けることができる。
【００４５】
（トリガ）
ピンポン再選択の回数を報告するトリガは、例えば、周期的登録更新タイマが満了したとき、又は隣接セル間でのピンポン再選択の回数が閾値（例えば、オペレータによって定義又は設定された閾値）に達したときである。ピンポン再選択の回数は、周期的ＲＡＵ／ＴＡＵ／登録等の既存のメッセージ内で、又は図１に示す指定メッセージを介して、ネットワークに配信することができる。
【００４６】
（利点）
隣接セル間における再選択の回数は、隣接セル間でのピンポン等の問題を示す可能性もあるため、場合に応じて以下の何れかの修正が可能である：
＋サービスプロバイダによる修正（例えば、ＣＩｏＴ、ｍＩｏＴ、ＭＴＣデバイス等の固定ＵＥデバイスがセル端に存在し、隣接セルにピンポンする場合。この場合、サービスプロバイダに通知を行う。サービスプロバイダは、ＣＩｏＴデバイスの位置を調整することができる）；又は
＋カバレッジの調整又はセル再選択基準への適応による、３ＧＰＰネットワークオペレータによる修正（例えば、システム情報で報知されるセル再選択オフセットパラメータ）。ＵＥ３０の位置を調整してＵＥ信号の改善を図ることも可能である。
【００４７】
Ｃ）サービス停止中のエントリ数
ＵＥ３０は、サービス停止中のエントリ数をモニタリング及びレポートすることもできる。低カバレッジエリアにおいてＵＥ３０のサービスが中断した場合、ネットワークがこれを把握することができない場合がある。これは、例えば、ＵＥ３０がネットワークとの周期的な更新（ハンドシェイク）をトリガする予定であり、ＵＥ３０が次の周期的更新タイマが満了する前にサービスに戻った場合である。この分析情報は、ネットワークの自動化と最適化、及びＵＥのパフォーマンスの向上に役立つ可能性がある。
【００４８】
（トリガ）
登録エリア内のサービス停止中のエントリ数を報告するトリガとしては、以下が考えられる：
＋周期的更新ＲＡＵ／ＴＡＵ／登録メッセージをトリガする周期的更新タイマが満了したとき；又は
＋ＵＥ３０によるサービス停止中のエントリ数が、特定の閾値（例えば、オペレータによって定義又は設定された閾値）に達したとき。
【００４９】
サービス停止中のエントリ数の情報は、周期的ＲＡＵ／ＴＡＵ／登録等の既存のメッセージ内で、又は図１に示す指定メッセージを介して、ネットワークに配信することができる。
【００５０】
（利点）
登録エリアの変更のないサービス停止中のエントリ数に関する情報は、ＵＥ３０が頻繁にカバレッジエリアでないところにいる（すなわち、サービスが中断する）等の問題を示す可能性がある。この情報は、ネットワーク及び／又はサービスプロバイダ（ＵＥ３０が３ＧＰＰの所有ではない場合）に示される。３ＧＰＰネットワーク又はサービスプロバイダは、ＵＥ３０（例えば、ＣＩｏＴ／ｍＩоＴ／ＭＴＣデバイス）を再配置することができる。或いは、３ＧＰＰネットワークオペレータは、全体又はＵＥ位置（固定ＵＥの場合）での無線カバレッジ状態を向上させることができる。
【００５１】
Ｄ）指定エリアへのＵＥのイン／アウト
ＵＥ３０は、指定エリア（例えば、セル、セルのリスト、ＴＡ又は他の方法で定義した地理的エリア）を（例えば、無線又はＮＡＳシグナリングを介して）設定してもよい。ＵＥ３０はこの指定エリアをモニタリングして、当該指定エリアに出入りする際にネットワークに通知することができる。
【００５２】
ＵＥ３０がこの指定地理的エリア内に存在する場合、特定のネットワークスライスがＵＥ３０にサーブする必要があり、ＵＥ３０がこの指定エリア内に存在しない場合には、別のネットワークスライスがＵＥ３０にサーブする必要があると考えられる。このようなユースケースは、ＵＥ３０（すなわち、ユーザ）が事業所又はエリア（例えば、指定エリア）内に存在する場合にあるネットワークスライスを使用し、事業エリア外に存在する場合に別のネットワークスライスを使用するという要件の結果である。
【００５３】
そのような指定エリアに出入りする場合のＵＥ３０からの通知は、例えば、ＵＥ３０にネットワークスライス間を移動させて、ネットワークの自動化及び最適化を助けることができる。
【００５４】
指定エリアへのＵＥのイン／アウトを通知する情報は、既存のメッセージ（例えば、再登録メッセージ用の新しいトリガ）内で、又は図１に示す指定メッセージを介して、ネットワークに配信することができる。
【００５５】
（トリガ）
指定エリアへのＵＥのイン／アウトの通知は、ＵＥ３０が指定エリア内に移動したとき、及びＵＥ３０が指定エリア外に移動したときにトリガすることができる。この通知は、ネットワークの自動化及び最適化、更にＵＥ３０のモニタリングとパフォーマンスの向上を助けることができる。
【００５６】
（利点）
指定エリアへのＵＥのイン／アウトの通知は、ネットワークの自動化及び最適化（例えば、異なるネットワークスライスへのＵＥ３０の再ルーティング（すなわち、指定エリア内ではあるネットワークスライスがＵＥ３０にサーブし、指定エリア外では別のネットワークスライスがＵＥ３０にサーブする）、異なる周期的更新タイマの割り当て、異なるｅＤＲＸ（ｅｘｔｅｎｄｅｄ  Ｄｉｓｃｏｎｔｉｎｕｏｕｓ  Ｒｅｃｅｐｔｉｏｎ：拡張間欠受信）サイクルの割り当て、より良いＰＳＭ（Ｐｏｗｅｒ  Ｓａｖｉｎｇ  Ｍｏｄｅ：省電力モード）及び／又はＭＩＣＯ（Ｍｏｂｉｌｅ  Ｉｎｉｔｉａｔｅｄ  Ｃｏｎｎｅｃｔｉｏｎ  Ｏｎｌｙ：モバイル開始接続専用）モード管理等）を助けることができる。
【００５７】
Ｅ）ＵＥバッテリレベル通知
バッテリ駆動のＵＥ３０は、バッテリレベル（例えば、パーセンテージ、スタンバイ時間の残り、又は他の形式によるバッテリレベル）をモニタリング及びレポートしてもよい。これは、所定のリモートバッテリ駆動ＵＥ（例えば、ＣＩｏＴ、ＮＢ−ＣＩｏＴ、ｍＩｏＴ、ＭＴＣデバイス等）の要件として、ＵＥ３０の位置でバッテリ電力をモニタリングする便利な方法が他にない場合等に用いることができる。ＵＥ３０からのバッテリ電力レベル通知は、ネットワークの自動化及び最適化、更にＵＥのパフォーマンスの向上を助けることができる。
【００５８】
（トリガ）
ＵＥ３０は、バッテリ電力レベルが所定の閾値レベル以下に低下した場合に、ネットワークへのＵＥバッテリ電力レベルの通知をトリガすることができる。この通知は、ネットワークの自動化及び最適化、更にＵＥのモニタリングとパフォーマンスの向上を助けることができる。
【００５９】
ＵＥバッテリレベルを通知する情報は、既存のメッセージ（例えば、周期的更新、又はＵＥ３０がネットワークに接続する場合）内で、又は図１に示す指定メッセージを介して、ネットワークに配信することができる。
【００６０】
（利点）
ネットワークに対してＵＥバッテリ電力レベルを通知することは、以下の場合に有用である：
＋周期的な更新時間、ｅＤＲＸサイクル長、ＰＳＭ管理等、ＵＥ３０に関するパラメータへのネットワークの適応。これにより、ＵＥ３０のバッテリ寿命を最大限延ばすことができる。例えば、周期的更新タイマを延長して、ｅＤＲＸサイクルとＰＳＭ長を延長することで、ＵＥ３０の電力消費を少なくすることができる。
＋ＵＥ３０の所有者（サービスプロバイダのＡＦが、ＵＥのバッテリ電力が所定のレベル又は閾値を下回った場合の通知のサービスのためにＮＷＤＡＦ７２にサブスクライブしている場合、サービスプロバイダ）への低バッテリ電力の通知。これにより、バッテリを充電又は交換することができる。
【００６１】
Ｆ）ＵＥリンク障害
ＵＥ３０は、所定の時間間隔ごとのリンク障害（例えば、ＵＥ３０がネットワークとの接続を確立するのを妨げるリンク障害）の回数をモニタリングすることができる。所定の時間あたりのリンク障害の回数は、ネットワークの自動化と最適化、及びＵＥのパフォーマンスの向上に有益である可能性がある。また、ＵＥ３０は、リンク障害とともに、ＵＥソフトウェアビルドの３ＧＰＰリリースバージョンを提供することができる。これは、ＮＷＤＡＦ７２においてリンク障害の原因の分析を行うのを助けることができる。
【００６２】
（トリガ）
ＵＥリンク障害の回数を報告するトリガは、例えば、周期的登録更新タイマが満了したとき、又はＵＥリンク障害の回数が閾値（例えば、オペレータによって定義又は設定された閾値）に達したときである。ＵＥリンク障害の回数の情報は、周期的ＲＡＵ／ＴＡＵ／登録等の既存のメッセージ内で、又は図１に示す指定メッセージを介して、ネットワークに配信することができる。
【００６３】
（利点）
ＵＥリンク障害の回数は、発生の回数、時間、及び位置についてＮＷＤＡＦ７２が分析を行ってもよい。ＮＷＤＡＦ７２は、ＵＥリンク障害の原因の可能性及びそれらを修正する方法について仮定を立てることができる。
【００６４】
Ｇ）ＵＥコールドロップ
ＵＥ３０は、所定の時間間隔ごとに、コールドロップ（例えば、リンク障害、ハンドオーバ障害、又は「コールドロップ」として知られる、既に確立されたユーザ接続の消失が起こる他の障害によるもの）の回数をモニタリングすることができる。所定の時間あたりのＵＥコールドロップの回数は、ネットワークの自動化と最適化、及びＵＥのパフォーマンスの向上に役立つ可能性がある。
【００６５】
（トリガ）
ＵＥコールドロップの回数を報告するトリガは、例えば、周期的登録更新タイマが満了したとき、又はＵＥコールドロップの回数が閾値（例えば、オペレータによって定義又は設定された閾値）に達したときである。ＵＥコールドロップの回数の情報は、周期的ＲＡＵ／ＴＡＵ／登録等の既存のメッセージ内で、又は図１に示す指定メッセージを介して、ネットワークに配信することができる。
【００６６】
（利点）
ＵＥコールドロップの回数は、発生の回数、時間、及び位置についてＮＷＤＡＦ７２が分析を行ってもよい。ＮＷＤＡＦ７２は、ＵＥリンク障害の原因の可能性及びそれらを修正する方法について仮定を立てることができる。
【００６７】
（ソリューション２）
モバイル端末分析情報収集（バリアント２）
【００６８】
ソリューション２は、ネットワークの自動化及び最適化（例えば、ＡＭＦ７１、ＮＳＳＦ、ＰＣＲＦ、ＳＭＦ、ＵＰＦ等のネットワーク機能（ＮＦ）の機能の最適化及び向上）、並びにＵＥパフォーマンスの向上に後に使用する、モバイル端末（例えば、ＵＥ、ＣＩｏＴ、ｍＩｏＴ、ＭＴＣデバイス等）からの分析情報の収集を可能にするものである。図２は、ＵＤＭ／ＵＤＲ７５を介した、ネットワークエクスポージャ機能に基づくＵＥ分析情報収集の手順を示す図である。この手順は、３ＧＰＰ  ＴＳ２３．５０２［３］で説明されているＮＥＦサービスオペレーションに基づく。この手順は、モバイル端末分析情報収集のために、ホームＰＬＭＮと訪問先ＰＬＭＮの両方に使用することができる。ソリューション２のＡＦ１２又はＮＷＤＡＦ７２は、ホームＰＬＭＮオペレータ、訪問先ＰＬＭＮオペレータ、又はサードパーティが所有することができる。
【００６９】
以下、図２でハイライトされている手順について詳細に説明する。
【００７０】
０．登録手順が、ＵＥ３０、ＡＭＦ７１、及びＵＤＭ／ＵＤＲ７５の間で正常に実行されている。この手順は、３ＧＰＰ  ＴＳ２３．５０２［３］で説明されている登録手順に基づいて、ソリューション１のステップ１からステップ４で説明した追加の機能を用いて行うことができる。
【００７１】
１．ＮＷＤＡＦ７２は、ＡＦ１２としてＮＥＦ７６に対してＮｎｅｆ＿ＥｖｅｎｔＥｘｐｏｓｕｒｅ＿Ｓｕｂｓｃｒｉｂｅサービスを起動する。ＮＷＤＡＦ７２は、ＵＥ分析レポートＡＦ、収集対象分析情報、及びＮＥＦ７６への報告方法の情報要素を、Ｎｎｅｆ＿ＥｖｅｎｔＥｘｐｏｓｕｒｅ＿Ｓｕｂｓｃｒｉｂｅメッセージ内に含む。ＵＥ分析レポートＡＦ情報要素は、以下のことを検証するために、ＮＥＦ７６によって参照される：
−ＵＥ３０が分析情報の収集と配信とを実行することができるか否か、及び（オプションとして）ＵＥ３０が収集及び配信可能な分析情報のタイプ。
−ＵＥ分析情報の収集と配信をアクティブ化する必要があるか否か。ホームネットワークオペレータは、サービスプロバイダからの入力に基づいて、又はモバイル端末自体とのやり取りに基づいて（例えば、モバイルの嗜好を考慮に入れて）、１つ以上のタイプの分析データの収集と配信のためのＵＥ能力をアクティブ化又は非アクティブ化するように、訪問先のＰＬＭＮに命令することができる。
【００７２】
収集対象分析情報の情報要素は、ＮＷＤＡＦ７２からのオプションのパラメータであり、ＵＥ３０がＵＥ分析レポートサブスクリプションに示される情報収集を行うために統計を測定する方法に関する詳細な情報をＵＥ３０に提供することを目的としたものである。これは、分析情報を補完するパラメータである。例えば、分析情報が「指定エリアへのＵＥのイン／アウト」である場合、このパラメータを使用して、エリア情報（例えば、セル、セルのリスト、ＴＡ、又は他の方法で定義した地理的エリア）を指定することができる。
【００７３】
報告方法情報要素は、収集したデータをいつＮＷＤＡＦ７２に報告するかをＵＥ３０に示す。これは、期間又は満たすべき特定の条件を用いて示すことができる。例えば、分析情報が「指定エリアへのＵＥのイン／アウト」である場合、ＵＥイン／アウトのカウンタが特定／所定の数値（例えば、閾値）を超える場合、又は指定エリアに出入りするイベントが発生した場合を、当該パラメータとして設定してもよい。
【００７４】
２．ＮＥＦ７６は、ＵＤＭ／ＵＤＲ７５に対してＮｕｄｍ＿ＥｖｅｎｔＥｘｐｏｓｕｒｅ＿Ｓｕｂｓｃｒｉｂｅサービスを起動する。ＮＥＦ７６は、ＵＥ分析レポートＡＦ、収集対象分析情報、及び報告方法情報要素を、Ｎｕｄｍ＿ＥｖｅｎｔＥｘｐｏｓｕｒｅ＿Ｓｕｂｓｃｒｉｂｅメッセージ内に含む。ＵＥ分析レポートＡＦ、収集対象分析情報、及び報告方法情報要素は、ステップ１において、Ｎｎｅｆ＿ＥｖｅｎｔＥｘｐｏｓｕｒｅ＿Ｓｕｂｓｃｒｉｂｅメッセージで受信したものでもよい。
【００７５】
３．ＵＤＭ／ＵＤＲ７５は、ＡＭＦ７１に対してＮａｍｆ＿ＥｖｅｎｔＥｘｐｏｓｕｒｅ＿Ｓｕｂｓｃｒｉｂｅサービスを起動する。ＵＤＭ／ＵＤＲ７５は、ＵＥ分析レポートサブスクリプション、収集対象分析情報、及び報告方法情報要素を、Ｎａｍｆ＿ＥｖｅｎｔＥｘｐｏｓｕｒｅ＿Ｓｕｂｓｃｒｉｂｅメッセージ内に含む。収集対象分析情報及び報告方法情報要素は、ステップ２において、Ｎｕｄｍ＿ＥｖｅｎｔＥｘｐｏｓｕｒｅ＿Ｓｕｂｓｃｒｉｂｅメッセージで受信したものでもよい。ＵＥ分析レポートサブスクリプション情報要素は、ＵＤＭ／ＵＤＲ７５のサブスクリプションデータに基づいて、ＵＤＭ／ＵＤＲ７５が図２のステップ２のＮｕｄｍ＿ＥｖｅｎｔＥｘｐｏｓｕｒｅ＿Ｓｕｂｓｃｒｉｂｅメッセージで受信したＵＥ分析レポートＡＦ情報要素を考慮に入れて、ＵＤＭ／ＵＤＲ７５によって構築することができる。
【００７６】
ＵＥ分析レポートサブスクリプション情報要素は、以下のことを検証するために、ＡＭＦ７１によって参照される：
−ＵＥ３０が分析情報の収集と配信とを実行することができるか否か、及び（オプションとして）ＵＥ３０が収集及び配信可能な分析情報のタイプ；及び
−ＵＥ分析情報の収集と配信をアクティブ化する必要があるか否か。ホームネットワークオペレータは、サービスプロバイダからの入力に基づいて、又はモバイル端末自体とのやり取りに基づいて（例えば、モバイルの嗜好を考慮に入れて）、訪問先のＰＬＭＮに、１つ以上のタイプの分析データの収集と配信のためのＵＥ能力をアクティブ化又は非アクティブ化するように命令することができる。
【００７７】
４．ＡＭＦ７１は、ＮＡＳメッセージをＵＥ３０に送信する。ＡＭＦ７１は、ＵＥ分析パラメータステータス、収集対象となる分析情報、及び報告方法の情報要素を、ＮＡＳメッセージ内に含む。ＮＡＳメッセージは、登録受諾メッセージ、ＵＥ設定更新メッセージ、ＵＥ  ＤＬデータ転送メッセージ、又は他の既存又は新規のＮＡＳメッセージである。
【００７８】
分析パラメータステータス情報要素は、図１のステップ１に示すように登録受諾メッセージで事前に受信されるＵＥ分析レポート能力、ステップ３に示すＵＤＭ／ＵＤＲ７５（例えば、サブスクリプション又はユーザの同意を介して）からのＵＥ分析レポートサブスクリプション情報、及びＡＭＦ７１のローカル設定に基づいて、ＡＭＦ７１によって構築してもよい。このアプローチでは、ＨＰＬＭＮ要件とＶＰＬＭＮ要件の両方をまとめて考慮に入れることで、ＵＥ分析パラメータステータスを構築することができる。
【００７９】
ＡＭＦ７１は、ＮＡＳメッセージに含まれるＵＥ分析レポートステータスパラメータ内に関連のフラグを設定することで、ＵＥ３０で１つ以上のタイプの分析データ収集及び配信をアクティブ化／非アクティブ化してもよい。ＵＥ分析レポートステータスパラメータは、分析データの収集及び配信のタイプごとに指定ステータスビット（アクティブ／非アクティブ）が存在するビットマップであってもよい。
【００８０】
収集対象分析情報の情報要素は、ＡＭＦ７１からのオプションのパラメータであり、このメッセージに示される分析パラメータステータスのためにＵＥ３０が統計を測定する方法に関する詳細な情報をＵＥに提供する。これは、分析情報を補完するパラメータである。例えば、分析情報が「指定エリアへのＵＥのイン／アウト」である場合、このパラメータを使用して、エリア情報（例えば、セル、セルのリスト、ＴＡ、又は他の方法で定義した地理的エリア）を定義することができる。
【００８１】
報告方法の情報要素は、収集したデータをいつＡＭＦ７１にレポートするかをＵＥ３０に示す。これは、期間又は満たすべき特定の条件を用いて示すことができる。例えば、分析情報が「指定エリアへのＵＥのイン／アウト」である場合、ＵＥのイン／アウトのカウンタが特定／所定の数値を超えた場合、又は指定エリアに出入りするイベントが発生した場合を、当該パラメータとして設定してもよい。
【００８２】
或いは、ＵＥ分析パラメータステータス、収集対象となる分析情報、及び報告方法の情報要素は、指定のパラメータ（フラグ又はビットマップ）として、又はＵＥポリシーパラメータの一部として、ＵＥ設定更新手順（或いは、上述の分析パラメータを配信することを目的とした他の既存又は新規のＮＡＳ／ＡＳメッセージ）を介してＵＥ３０に配信してもよい。
【００８３】
５．ＡＭＦ７１は、Ｎａｍｆ＿ＥｖｅｎｔＥｘｐｏｓｕｒｅ＿Ｓｕｂｓｃｒｉｂｅ応答メッセージをＵＤＭ／ＵＤＲ７５に送信する。
【００８４】
６．ＵＤＭ／ＵＤＲ７５は、Ｎｕｄｍ＿ＥｖｅｎｔＥｘｐｏｓｕｒｅ＿Ｓｕｂｓｃｒｉｂｅ応答メッセージをＮＥＦ７６に送信する。
【００８５】
７．ＮＥＦ７６は、Ｎｎｅｆ＿ＥｖｅｎｔＥｘｐｏｓｕｒｅ＿Ｓｕｂｓｃｒｉｂｅ応答メッセージをＮＷＤＡＦ７２に送信する。
【００８６】
８．ステップ４で、ＵＥ３０は、ＡＭＦ７１からの命令に基づいて、統計データを測定及び修正する。
【００８７】
９．報告方法の条件が満たされると、ＵＥ３０は、ＵＥ分析情報メッセージをＡＭＦ７１に送信する。ＵＥ３０は、ＵＥ分析レポート情報要素をＵＥ分析情報メッセージに含む。ＵＥ分析レポートには、収集した分析情報が含まれる。ＵＥ分析情報メッセージは、「ＵＥ分析情報メッセージ」と呼ばれる新しいメッセージ（又は、異なる表現による、分析情報の配信を目的とした別のメッセージ）、周期的ＲＡＵ／ＴＡＵ更新メッセージ、周期的登録メッセージ等の既存のメッセージ、又は他のＮＡＳ又はＡＳメッセージ等のうちのいずれかである。
【００８８】
ＵＥ分析レポート情報は、分析情報のタイプごとに指定フィールドが存在するデータ構造であってもよい。
【００８９】
１０．ＡＭＦ７１は、Ｎａｍｆ＿ＥｖｅｎｔＥｘｐｏｓｕｒｅ＿ＮｏｔｉｆｙメッセージをＮＥＦ７６に送信する。Ｎａｍｆ＿ＥｖｅｎｔＥｘｐｏｓｕｒｅ＿Ｎｏｔｉｆｙメッセージには、ＵＥ３０から受信したＵＥ分析レポートが含まれる。ＡＭＦ７１がステップ３において、Ｎａｍｆ＿ＥｖｅｎｔＥｘｐｏｓｕｒｅ＿ＳｕｂｓｃｒｉｂｅでＮＥＦ対応通知エンドポイントを受信すると、対応のＮＥＦ７６がＡＭＦ７１によって認識される。
【００９０】
１１．ＮＥＦ７６は、Ｎｎｅｆ＿ＥｖｅｎｔＥｘｐｏｓｕｒｅ＿ＮｏｔｉｆｙメッセージをＮＷＤＡＦ７２に送信する。
【００９１】
１２．ＮＷＤＡＦ７２は、ＵＥ３０から分析情報を収集し、ネットワークの自動化及び最適化に使用する。ＮＳＳＦ、ＡＭＦ７１、ＰＣＦ、ＳＭＦ、ＵＰＦ、ＵＤＭ／ＵＤＲ７５等のネットワーク機能は、ＮＷＤＡＦ７２にサブスクライブして１つ又は１セットの分析情報を取得して、この情報を、ネットワークの自動化及び最適化を目的として、更に、モバイル端末の改善とモニタリングに使用してもよい。
【００９２】
図２は、モバイル端末分析情報収集のアクティブ化手順のみを示すが、図２に以下のような変更を加えることでモバイル端末分析情報収集の非アクティブ化手順とすることもできる。
【００９３】
ステップ１：Ｎｎｅｆ＿ＥｖｅｎｔＥｘｐｏｓｕｒｅ＿Ｓｕｂｓｃｒｉｂｅサービスを、Ｎｎｅｆ＿ＥｖｅｎｔＥｘｐｏｓｕｒｅ＿Ｕｎｓｕｂｓｃｒｉｂｅサービスで置き換える。
【００９４】
ステップ２：Ｎｕｄｍ＿ＥｖｅｎｔＥｘｐｏｓｕｒｅ＿Ｓｕｂｓｃｒｉｂｅサービスを、Ｎｕｄｍ＿ＥｖｅｎｔＥｘｐｏｓｕｒｅ＿Ｕｎｓｕｂｓｃｒｉｂｅサービスで置き換える。
【００９５】
ステップ３：Ｎａｍｆ＿ＥｖｅｎｔＥｘｐｏｓｕｒｅ＿Ｓｕｂｓｃｒｉｂｅサービスを、Ｎａｍｆ＿ＥｖｅｎｔＥｘｐｏｓｕｒｅ＿Ｕｎｓｕｂｓｃｒｉｂｅサービスで置き換える。
【００９６】
ステップ５：Ｎａｍｆ＿ＥｖｅｎｔＥｘｐｏｓｕｒｅ＿Ｓｕｂｓｃｒｉｂｅ応答メッセージを、Ｎａｍｆ＿ＥｖｅｎｔＥｘｐｏｓｕｒｅ＿Ｕｎｓｕｂｓｃｒｉｂｅ応答メッセージで置き換える。
【００９７】
ステップ６：Ｎｕｄｍ＿ＥｖｅｎｔＥｘｐｏｓｕｒｅ＿Ｓｕｂｓｃｒｉｂｅ応答メッセージを、Ｎｕｄｍ＿ＥｖｅｎｔＥｘｐｏｓｕｒｅ＿Ｕｎｓｕｂｓｃｒｉｂｅ応答メッセージで置き換える。
【００９８】
ステップ７：Ｎｎｅｆ＿ＥｖｅｎｔＥｘｐｏｓｕｒｅ＿Ｓｕｂｓｃｒｉｂｅ応答メッセージを、Ｎｎｅｆ＿ＥｖｅｎｔＥｘｐｏｓｕｒｅ＿Ｕｎｓｕｂｓｃｒｉｂｅ応答メッセージで置き換える。
【００９９】
ステップ８：削除する。
【０１００】
ステップ９：メッセージナンバー４は、ＮＷＤＡＦ７２がサブスクライブしたサービスに最後のレポートを行うために、ＵＥ３０がステップ９でメッセージを送信するためのトリガであってもよい。
【０１０１】
（ソリューション３）
モバイル端末分析情報収集（バリアント３）
【０１０２】
ソリューション３は、ネットワークの自動化及び最適化（例えば、ＡＭＦ７１、ＮＳＳＦ、ＰＣＲＦ、ＳＭＦ、ＵＰＦ等のネットワーク機能（ＮＦ）の機能の最適化及び向上）、並びにＵＥパフォーマンスの向上に後に使用する、モバイル端末（例えば、ＵＥ、ＣＩｏＴ、ｍＩｏＴ、ＭＴＣデバイス等）からの分析情報の収集を可能にするものである。図３は、ＡＭＦ７１を介した、ネットワークエクスポージャ機能に基づくＵＥ分析情報収集の手順を示す図である。この手順は、３ＧＰＰ  ＴＳ２３．５０２［３］で説明されているＡＭＦサービスオペレーションに基づく。
【０１０３】
この手順は、モバイル端末分析情報収集のために、ホームＰＬＭＮと訪問先ＰＬＭＮの両方に使用することができる。ソリューション３のＡＦ１２又はＮＷＤＡＦ７２は、ホームＰＬＭＮオペレータ、訪問先ＰＬＭＮオペレータ、又はサードパーティが所有することができる。
【０１０４】
以下、図３でハイライトされている手順について詳細に説明する。
【０１０５】
０．登録手順が、ＵＥ３０、ＡＭＦ７１、及びＵＤＭ／ＵＤＲ７５の間で正常に実行されている。この手順は、３ＧＰＰ  ＴＳ２３．５０２［３］で説明されている登録手順に基づいて、ソリューション１のステップ１からステップ４で説明した追加の機能を用いて行うことができる。
【０１０６】
１．ＮＥＦ７６は、ＡＭＦ７１に対してＮａｍｆ＿ＥｖｅｎｔＥｘｐｏｓｕｒｅ＿Ｓｕｂｓｃｒｉｂｅサービスを起動する。ＮＥＦ７６は、ＵＥ分析レポートＡＦ、収集対象分析情報、及びＮＥＦ７６への報告方法情報要素を、Ｎａｍｆ＿ＥｖｅｎｔＥｘｐｏｓｕｒｅ＿Ｓｕｂｓｃｒｉｂｅメッセージ内に含む。ＵＥ分析レポートＡＦ情報要素は、以下のことを検証するために、ＡＭＦ７１によって参照される：
−ＵＥ３０が分析情報の収集と配信とを実行することができるか否か、及び（オプションとして）ＵＥ３０が収集及び配信可能な分析情報のタイプ。
−ＵＥ分析情報の収集と配信をアクティブ化する必要があるか否か。要求元は、サービスプロバイダからの入力に基づいて、又はモバイル端末自体とのやり取りに基づいて（例えば、モバイルの嗜好を考慮に入れて）、訪問先のＰＬＭＮに、１つ以上のタイプの分析データの収集と配信のためのＵＥ能力をアクティブ化又は非アクティブ化するように、ＮＥＦ７６を介して命令することができる。
【０１０７】
２．ＡＭＦ７１はＮＡＳメッセージをＵＥ３０に送信する。ＡＭＦ７１は、ＵＥ分析パラメータステータス、収集対象となる分析情報、及び報告方法の情報要素を、ＮＡＳメッセージ内に含む。ＮＡＳメッセージは、登録受諾メッセージ、ＵＥ設定更新メッセージ、ＵＥ  ＤＬデータ転送メッセージ、又は他の既存又は新規のＮＡＳメッセージであってもよい。
【０１０８】
分析パラメータステータス情報要素は、図１のステップ１に示すように登録受諾メッセージで事前に受信されるＵＥ分析レポート能力、ステップ１に示す（例えば、サブスクリプション又はユーザの同意を介する）ＮＥＦ７６からのＵＥ分析レポートＡＦ情報、及びＡＭＦ７１のローカル設定に基づいて、ＡＭＦ７１によって構築してもよい。このアプローチでは、要求元の要件とＶＰＬＭＮ要件の両方をまとめて考慮に入れることで、ＵＥ分析パラメータステータスを定義することができる。
【０１０９】
ＡＭＦ７１は、ＮＡＳメッセージに含まれるＵＥ分析レポートステータスパラメータ内に関連のフラグを設定することで、ＵＥ３０で１つ以上のタイプの分析データ収集及び配信をアクティブ化／非アクティブ化してもよい。ＵＥ分析レポートステータスパラメータは、分析データの収集及び配信のアクティブ化のタイプごとに指定のステータスビット（アクティブ／非アクティブ）が存在するビットマップであってもよい。
【０１１０】
収集対象分析情報の情報要素は、ＡＭＦ７１からのオプションのパラメータであり、このメッセージに示される分析パラメータステータスのためにＵＥ３０が統計を測定する方法に関する詳細な情報をＵＥ３０に提供することを目的としたものである。これは、分析情報を補完するパラメータである。例えば、分析情報が「指定エリアへのＵＥのイン／アウト」である場合、このパラメータを使用して、エリア情報（例えば、セル、セルのリスト、ＴＡ、又は他の方法で定義した地理的エリア）を指定することができる。
【０１１１】
報告方法の情報要素は、収集したデータをいつＡＭＦ７１に報告するかをＵＥ３０に示す。これは、期間又は満たすべき特定の条件を用いて示すことができる。例えば、分析情報が「指定エリアへのＵＥのイン／アウト」である場合、ＵＥのイン／アウトのカウンタが特定／所定の数値を超えた場合、又は指定エリアに出入りするイベントが発生した場合を、当該パラメータとして設定してもよい。
【０１１２】
或いは、ＵＥ分析パラメータステータス、収集対象となる分析情報、及び報告方法の情報要素は、指定のパラメータ（フラグ又はビットマップ）として、又はＵＥポリシーパラメータの一部として、ＵＥ設定更新手順を介してＵＥ３０に配信してもよい。
【０１１３】
４．ステップ２で、ＵＥ３０は、ＡＭＦ７１からの命令に基づいて、統計データを測定及び修正する。ＵＥ３０は、収集及び報告が要求された統計のタイプに応じて、以下のことを行ってもよい：
−シンプルに、ＵＥ３０で発生し、かつＵＥ３０に可視のイベント（例えば、セルの再選択、バッテリ電力レベル、リンク障害の数等）をモニタリングし、これらのイベントの統計を記憶し、ネットワークによって定義されたトリガ条件に基づいて、ステップ２で、収集対象分析情報の情報要素内でこれらを報告する；及び
−新規の統計データ（例えば、ピンポン再選択回数（隣接セル間でのみ再選択を行う場合）、指定エリアへのＵＥのイン／アウト（指定エリアへの進入及び退出）、サービス停止中のエントリ数等）をモニタリング及び収集するために、新しい機能を利用する。ＵＥ３０は、これらのイベントの統計を記憶し、ステップ２で、ネットワークによって定義されたトリガ条件に基づいて、収集対象分析情報の情報要素内でこれらを報告する。
【０１１４】
５．報告の条件が満たされると、ＵＥ３０は、ＵＥ分析情報メッセージをＡＭＦ７１に送信する。ＵＥ３０は、ＵＥ分析レポート情報要素をＵＥ分析情報メッセージに含む。ＵＥ分析レポートには、収集した分析情報が含まれる。ＵＥ分析情報メッセージは、「ＵＥ分析情報メッセージ」と呼ばれる新しいメッセージ（又は、異なる表現による、分析情報の配信を目的とした別のメッセージ）、周期的ＲＡＵ／ＴＡＵ更新メッセージ、周期的登録メッセージ等の既存のメッセージ、又は他のＮＡＳ又はＡＳメッセージ等のうちのいずれかであってもよい。
【０１１５】
ＵＥ分析レポート情報は、分析情報のタイプごとに指定フィールドが存在するデータ構造であってもよい。
【０１１６】
６．ＡＭＦ７１は、Ｎａｍｆ＿ＥｖｅｎｔＥｘｐｏｓｕｒｅ＿ＮｏｔｉｆｙメッセージをＮＷＤＡＦ７２に送信する。Ｎａｍｆ＿ＥｖｅｎｔＥｘｐｏｓｕｒｅ＿Ｎｏｔｉｆｙメッセージには、ＵＥ３０から受信したＵＥ分析レポートが含まれる。ＡＭＦ７１がステップ１において、Ｎａｍｆ＿ＥｖｅｎｔＥｘｐｏｓｕｒｅ＿ＳｕｂｓｃｒｉｂｅでＮＷＤＡＦ７２の対応通知エンドポイントを受信すると、対応のＮＷＤＡＦ７２がＡＭＦ７１によって認識される。
【０１１７】
７．ＮＷＤＡＦ７２は、ＵＥ３０から分析情報を収集し、ネットワークの自動化及び最適化に使用する。ＮＳＳＦ、ＡＭＦ７１、ＰＣＦ、ＳＭＦ、ＵＰＦ、ＵＤＭ／ＵＤＲ７５等のネットワーク機能は、ＮＷＤＡＦ７２にサブスクライブして１つ又は１セットの分析情報を取得して、ネットワークの自動化及び最適化を目的として、更に、モバイル端末のモニタリングに使用してもよい。
【０１１８】
図３は、モバイル端末分析情報収集のアクティブ化手順のみを示すが、図３のステップに以下のような変更を加えることでモバイル端末分析情報収集の非アクティブ化手順とすることもできる。
【０１１９】
ステップ１：Ｎａｍｆ＿ＥｖｅｎｔＥｘｐｏｓｕｒｅ＿Ｓｕｂｓｃｒｉｂｅサービスを、Ｎａｍｆ＿ＥｖｅｎｔＥｘｐｏｓｕｒｅ＿Ｕｎｓｕｂｓｃｒｉｂｅサービスで置き換える。
【０１２０】
ステップ３：Ｎａｍｆ＿ＥｖｅｎｔＥｘｐｏｓｕｒｅ＿Ｓｕｂｓｃｒｉｂｅ応答メッセージを、Ｎａｍｆ＿ＥｖｅｎｔＥｘｐｏｓｕｒｅ＿Ｕｎｓｕｂｓｃｒｉｂｅ応答メッセージで置き換える。
【０１２１】
ステップ４：削除する。
【０１２２】
ステップ５：ステップ２のメッセージは、ＵＥ３０が、ＮＷＤＡＦ７２がサブスクライブしたサービスに最後のレポートを行うためにステップ５でメッセージを送信するためのトリガであってもよい。
【０１２３】
（ソリューション４）
ＵＥ分析収集のためのユーザ同意のハンドリング
【０１２４】
ＵＥ分析の収集はＵＥ３０とのシグナリングのやり取りを伴うため、プライバシーや法的義務により、ＵＥ分析を収集及び配信する場合にユーザの同意を求められる可能性がある。ＵＥ３０によるＵＥ分析の収集及び報告を開始する（すなわち、要求する）前に、必要に応じて、ユーザの同意を収集して管理するのは、ネットワークオペレータの責任である。
【０１２５】
ユーザ同意情報は、サブスクリプションデータの一部と見なすことができる。図４は、ＵＥ分析データの収集とネットワークへの配信に関するユーザ同意のプロビジョニングを示す図である。
【０１２６】
以下、図４でハイライトされている手順について詳細に説明する。
【０１２７】
１．ＡＦ（アプリケーション機能）ユーザ同意プロビジョニング（ＵＥ＿Ｉｄ、ＵＥ分析同意ビットマップ）
−サービスプロバイダは、ＵＥ分析データの収集についてのユーザ同意をユーザから収集し、当該情報を３ＧＰＰネットワークに提供することができる。これは、ＵＥ分析同意ビットマップパラメータ（又は、異なる表現による、ＵＥ分析の収集及び報告を目的としたユーザ同意プロビジョニング）を介して、ユーザ同意が対応するＵＥ  ＩＤとともに、ＡＦユーザ同意プロビジョニング（ＡＦ  ｕｓｅｒ  ｃｏｎｓｅｎｔ  ｐｒｏｖｉｓｉｏｎ）メッセージ（又は、異なる表現による、ＵＥ分析の収集及び報告を目的としたユーザ同意プロビジョニング）内で提供される。サービスプロバイダ（例えば、ＡＦ１２）は、このメッセージをユーザ同意の更新又は取り消しに使用することができる。ＵＥ分析データの収集及び報告に関するユーザの同意は、サブスクリプション情報としてＵＤＭ／ＵＤＲ７５に記憶される。ＵＥ分析同意ビットマップパラメータは、シンプルなフラグ（例えば、単一タイプの分析データについての同意）であってもよいし、ＵＥ３０によって収集及び報告される分析データのセットについてのユーザ同意を定めるビットマップであってもよい。ユーザ同意情報がＵＤＭ／ＵＤＲ７５に記憶されると、ＵＤＭ／ＵＤＲ７５は、ＵＥ分析収集をアクティブ化してＵＥ３０から報告する前（例えば、所定の分析データ収集及びレポートサブスクリプションのトレースセッションを開始する前）に、ユーザ同意ステータスを確認することができる。
【０１２８】
２．ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ：運用管理及び保守）ユーザ同意プロビジョニング（ＵＥ＿Ｉｄ、ＵＥ分析同意ビットマップ）
−ユーザの同意は、ネットワークオペレータからＯＡＭを介してプロビジョニングすることもできる。ネットワークオペレータは、例えばそのカスタマ対応処理を介して、ユーザ同意情報を収集することができる。ステップ１同様に、ネットワークオペレータは、ユーザ同意を適用可能なＵＥ  ＩＤとユーザ同意そのものを、サブスクリプション情報としてＵＤＭ／ＵＤＲ７５に記憶されたＵＥ分析同意ビットマップパラメータ内で提供する。ネットワークオペレータ（例えば、ＯＡＭ）は、このメッセージをユーザ同意の更新又は取り消しに使用することができる。ＵＥ分析同意ビットマップパラメータは、シンプルなフラグ（例えば、単一タイプの分析データについての同意）であってもよいし、ＵＥ３０によって収集及び報告される分析データのセットについてのユーザ同意を定めるビットマップであってもよい。ユーザ同意情報がＵＤＭ／ＵＤＲ７５に記憶されると、ＵＤＭ／ＵＤＲ７５は、ＵＥ分析収集をアクティブ化してＵＥ３０から報告する前（例えば、所定の分析データ収集及びレポートサブスクリプションのトレースセッションを開始する前）に、ユーザ同意ステータスを確認することができる。
【０１２９】
３．ＮＡＳユーザ同意更新（ＵＥ＿Ｉｄ、分析同意ビットマップ）
−ＵＥ分析同意情報（ＵＥ３０がサブスクライブしている分析データのタイプに応じた、単一タイプの分析データごとの又は分析データのセットごとのＵＥ分析同意情報）は、ＡＭＦ７１に（例えば、位置更新手順で、或いは、Ｎｕｄｍ＿ＳＤＭ＿Ｇｅｔ／Ｒｅｓｐｏｎｅｓｅ手順や、ＡＭＦ７１がＵＥ分析データ収集及び報告のためにＵＥサブスクリプション情報を取得して、ＵＤＭ／ＵＤＲ７５からユーザ同意を取得する、他の名称の手順を介して）提供される。これは、ＵＥ分析データ収集（すなわち、トレースセッション）がＡＭＦ７１によって開始される場合に必要となる。
【０１３０】
４．ＡＳユーザ同意更新（ＵＥ＿Ｉｄ、分析同意ビットマップ）
−ステップ３と同様に、ＵＥ同意情報は、例えば、（（Ｒ）ＡＮ）ノードによって収集された分析データについて、ＡＭＦ７１を介して（Ｒ）ＡＮノード５０に提供することができる。これは、ＵＥ分析データ収集及び報告（すなわち、トレースセッション）が（Ｒ）ＡＮノード５０によって開始される場合に必要となる。
【０１３１】
５．ＵＥ分析情報（ＵＥ分析レポート）
−分析情報の収集及び配信が可能なＵＥ３０は、（機能がアクティブ化され、ユーザの同意によって制限されていない場合）分析情報をモニタリング及び収集する。ＵＥ３０は、収集及び報告が要求された統計のタイプに応じて、以下のことを行ってもよい：
−シンプルに、ＵＥ３０で発生し、かつＵＥ３０に可視のイベント（例えば、セルの再選択、バッテリ電力レベル、リンク障害の数等）をモニタリングし、これらのイベントの統計を記憶し、ネットワークによって定義されたトリガ条件に基づいて、図１のステップ４で、収集対象分析情報の情報要素内でこれらを報告する；及び
−新規の統計データ（例えば、ピンポン再選択回数（隣接セル間でのみ再選択を行う場合）、指定エリアへのＵＥのイン／アウト（指定エリアへの進入及び退出）、サービス停止中のエントリ数等）をモニタリング及び収集するために、新しい機能を利用する。
ＵＥ３０は、これらのイベントの統計を記憶し、図１のステップ４で、ネットワークによって定義されたトリガ条件に基づいて、収集対象分析情報の情報要素内でこれらを報告する。
【０１３２】
ＵＥ３０は、収集した分析情報を、ＵＥ分析レポートパラメータ内でネットワークに配信する：
−「ＵＥ分析情報メッセージ」（又は、異なる表現による、分析情報の配信を目的とした別のメッセージ）と呼ばれる新しいメッセージ；又は
−周期的ＲＡＵ／ＴＡＵ更新メッセージ、周期的登録メッセージ、又は、他のＮＡＳ又はＡＳメッセージ等の既存のメッセージ。
【０１３３】
ＵＥ分析レポートパラメータは、分析情報のタイプごとに指定フィールドが存在するデータ構造であってもよい。
【０１３４】
６．ＵＥ分析通知（ＵＥ＿Ｉｄ、ＵＥ分析レポート）
−ＡＭＦ７１は、分析データを処理及び分析するＮＷＤＡＦ７２へ、ＵＥ分析レポートを通知することができる。多くの場合、サービスプロバイダから提供される情報と併せて処理及び分析が行われる。
【０１３５】
（ＵＥ３０（ユーザ装置））
【０１３６】
図５は、ＵＥ３０の主要な構成要素を示すブロック図である。図示のように、ＵＥ３０は、１つ以上のアンテナ３１０を介して接続ノードと信号の送受信を行うように動作可能なトランシーバ回路３２０を含む。図５には示されていないが、ＵＥ３０が従来のモバイルデバイスの通常の機能（ユーザインターフェース３５０等）をすべて備えることは明らかである。これは、ハードウェア、ソフトウェア及びファームウェアのいずれか１つ又はこれらの任意の組み合わせによって適宜実現可能である。ソフトウェアは、メモリ３４０に事前にインストールしてもよいし、例えば、通信ネットワークを介して、又はＲＭＤ（Ｒｅｍｏｖａｂｌｅ  Ｄａｔａ  Ｓｔｏｒａｇｅ  Ｄｅｖｉｃｅ：リムーバブルデータ格納デバイス）からダウンロードしてもよい。
【０１３７】
コントローラ３３０は、メモリ３４０に記憶されたソフトウェアに従ってＵＥ３０の動作を制御する。例えば、コントローラ３３０は、ＣＰＵ（Ｃｅｎｔｒａｌ  Ｐｒｏｃｅｓｓｉｎｇ  Ｕｎｉｔ：中央処理装置）によって実現することができる。ソフトウェアは、特に、オペレーティングシステム３４１と、少なくともトランシーバ制御モジュール３４３を有する通信制御モジュール３４２とを含む。通信制御モジュール３４２（そのトランシーバ制御モジュール３４３を使用する）は、ＵＥ３０と、基地局５／（Ｒ）ＡＮノード５０、ＭＭＥ、ＡＭＦ７１（及び他のコアネットワークノード７０）等の他のノードとの間のシグナリング及びアップリンク／ダウンリンクデータパケットのハンドリング（生成／送信／受信）を担う。そのようなシグナリングは、例えば、接続の確立及び保守に関連する、適切にフォーマットされたシグナリングメッセージ（例えば、ＲＲＣメッセージ）や、周期的な位置更新に関するメッセージ（例えば、トラッキングエリア更新、ページングエリア更新、及び測位エリア更新）等のＮＡＳメッセージを含んでもよい。そのようなシグナリングは、特に、ＵＥ分析のレポート及び利用に関する、適切にフォーマットされたシグナリングを含んでもよい。
【０１３８】
（（Ｒ）ＡＮノード５０）
【０１３９】
図６は、例示的な（Ｒ）ＡＮノード５０の主要な構成要素、例えば、基地局（ＬＴＥでは「ｅＮＢ」、５Ｇでは「ｇＮＢ」）を示すブロック図である。図示のように、（Ｒ）ＡＮノード５０は、１つ以上のアンテナ５１０を介して接続ＵＥ３０と信号の送受信を行い、ネットワークインターフェース５５０を介して他のネットワークノードと（直接的又は間接的に）信号の送受信を行うように動作可能なトランシーバ回路５２０を含む。コントローラ５３０は、メモリ５４０に記憶されたソフトウェアに従って（Ｒ）ＡＮノード５０の動作を制御する。例えば、コントローラ５３０は、ＣＰＵ（Ｃｅｎｔｒａｌ  Ｐｒｏｃｅｓｓｉｎｇ  Ｕｎｉｔ：中央処理装置）によって実現することができる。ソフトウェアは、メモリ５４０に事前にインストールしてもよいし、例えば、通信ネットワークを介して、又はＲＭＤからダウンロードしてもよい。ソフトウェアは、特に、オペレーティングシステム５４１と、少なくともトランシーバ制御モジュール５４３を有する通信制御モジュール５４２とを含む。
【０１４０】
通信制御モジュール５４２（そのトランシーバ制御モジュール５４３を使用する）は、（Ｒ）ＡＮノード５０と、ＵＥ３０、ＭＭＥ、ＡＭＦ７１等の他のノードとの間のシグナリングのハンドリング（生成／送信／受信）を担う（例えば、直接的又は間接的に）。当該シグナリングは、例えば、（特定のＵＥ３０の）無線接続及び測位手順に関し、特に接続の確立及び保守に関する、適切にフォーマットされたシグナリングメッセージ（ＲＲＣ接続確立及び他のＲＲＣメッセージ等）、周期的な位置更新（トラッキングエリアの更新、ページングエリアの更新、測位エリアの更新等）に関するメッセージ、Ｓ１ＡＰメッセージ及びＮＧＡＰメッセージ（すなわち、Ｎ２参照ポイントによるメッセージ）等を含んでもよい。また、そのようなシグナリングは、例えば、送信のケースにおける報知情報（例えば、マスタ情報及びシステム情報）を含んでもよい。そのようなシグナリングは、特に、ＵＥ分析のレポート及び利用に関する、適切にフォーマットされたシグナリングを含んでもよい。
【０１４１】
また、ＵＥモビリティ推定及び／又は移動軌道推定等の関連タスクが実装される場合には、コントローラ５３０は、これらのタスクをハンドリングするように（ソフトウェア又はハードウェアによって）構成される。
【０１４２】
（ＡＭＦ７１）
【０１４３】
図７は、ＡＭＦ７１の主要な構成要素を示すブロック図である。ＡＭＦ７１は５ＧＣに含まれる。図示のように、ＡＭＦ７１は、ネットワークインターフェース７４１を介して他のノード（ＵＥ３０を含む）と信号の送受信を行うように動作可能なトランシーバ回路７１１を含む。コントローラ７２１は、メモリ７３５に記憶されたソフトウェアに従ってＡＭＦ７１の動作を制御する。例えば、コントローラ７２１はＣＰＵによって実現することができる。ソフトウェアは、メモリ７３５に事前にインストールしてもよいし、例えば、通信ネットワークを介して、又はＲＭＤからダウンロードしてもよい。ソフトウェアは、特に、オペレーティングシステム７３６と、少なくともトランシーバ制御モジュール７３８を有する通信制御モジュール７３７とを含む。
【０１４４】
通信制御モジュール７３７（そのトランシーバ制御モジュール７３８を使用する）は、ＡＭＦ７１と、ＵＥ３０、基地局５／（Ｒ）ＡＮノード５０（例えば、「ｇＮＢ」、又は「ｅＮＢ」）等の他のノードとの間のシグナリングのハンドリング（生成／送信／受信）を担う（例えば、直接的又は間接的に）。そのようなシグナリングは、例えば、本明細書に記載の手順に関する、適切にフォーマットされたシグナリングメッセージを含んでもよく、例えば、ＵＥ３０との間でＮＡＳメッセージを伝達するためのＮＧ  ＡＰメッセージ（すなわち、Ｎ２参照点によるメッセージ）等を含んでもよい。そのようなシグナリングは、特に、ＵＥ分析レポート及び利用に関する、適切にフォーマットされたシグナリングを含んでもよい。
【０１４５】
（コアネットワークノード７０）
【０１４６】
図８は、ＡＭＦ７１、ＮＷＤＡＦ７２、ＮＥＦ７６、ＵＤＭ／ＵＤＲ７５等（及び／又はＭＭＥ等のＥＰＣノード／機能等）の５Ｇノード／機能を含む、上述の汎用コアネットワークノード７０（又は機能）の主要な構成要素を示すブロック図である。同一のブロック図がＡＦ１２及びＯＡＭのノードにも適用可能であるものとする。図示のように、コアネットワークノード７０は、他のノード（ＵＥ３０及び（Ｒ）ＡＮノード５０を含む）とネットワークインターフェース７４０を介して信号の送受信を行うように動作可能なトランシーバ回路７１０を含む。コントローラ７２０は、メモリ７３０に記憶されたソフトウェアに従ってコアネットワークノード７０の動作を制御する。ソフトウェアは、メモリ７３０に事前にインストールしてもよいし、例えば、通信ネットワークを介して、又はＲＭＤからダウンロードしてもよい。上記ソフトウェアは、特に、オペレーティングシステム７３１と、少なくとも通信制御モジュール７３２とを含む。通信制御モジュール７３２は、コアネットワークノード７０と、ＵＥ３０、（Ｒ）ＡＮノード５０、ＡＦ１２、他のコアネットワーク７０等との間におけるシグナリングのハンドリング（生成／送信／受信）を担う。このようなシグナリングは、特に、ＵＥ分析のレポート及び利用に関する、適切にフォーマットされたシグナリングを含んでもよい。
【０１４７】
（システム概要）
【０１４８】
図９は、上記の態様を適用可能なモバイル（セルラ又は無線）通信システム１を概略的に示す。
【０１４９】
このネットワークにおいて、各モバイルデバイス３（ＵＥ）のユーザは、例えばＥ−ＵＴＲＡ及び／又は５Ｇ  ＲＡＴ（Ｒａｄｉｏ  Ａｃｃｅｓｓ  Ｔｅｃｈｎｏｌｏｇｙ：無線アクセス技術）等の適切な３ＧＰＰ  ＲＡＴを用いて、それぞれ基地局５及び／又はコアネットワーク７を介して、相互に及び他のユーザと通信を行うことができる。複数の基地局５が（無線）アクセスネットワーク又は（Ｒ）ＡＮを形成してもよいものとする。図９には１つのモバイルデバイス３及び１つの基地局５が例示目的で示されているが、通常のシステム実装時には、他の基地局及びモバイルデバイス３（ＵＥ）も含まれることは当業者には明らかである。
【０１５０】
各基地局５は、（直接、又はホーム基地局、リレー、リモートラジオヘッド、分散型ユニット等の他のノードを介して）１つ以上の関連セルを制御する。Ｅ−ＵＴＲＡ／４Ｇプロトコルをサポートする基地局５は「ｅＮＢ」と呼ばれてもよく、次世代／５Ｇプロトコルをサポートする基地局５は「ｇＮＢ」と呼ばれてもよい。いくつかの基地局５は、４Ｇ及び５Ｇの両方、及び／又は任意の他の３ＧＰＰ又は非３ＧＰＰ通信プロトコルをサポートするように構成してもよい。
【０１５１】
モバイルデバイス３及びそのサービング基地局５は、適切なエアインターフェース（例えば、いわゆる「Ｕｕ」インターフェース等）を介して接続される。隣接する基地局５は、適切な基地局間インターフェース（いわゆる「Ｘ２」インターフェース、「Ｘｎ」インターフェース等）を介して相互に接続される。また、基地局５は、適切なインターフェース（いわゆる「Ｓ１」、「Ｎ１」、「Ｎ２」、「Ｎ３」インターフェース等）を介してコアネットワークノード７０にも接続される。
【０１５２】
通常、コアネットワーク７は、通信システム１における通信をサポートするための論理ノード（又は「機能」）を含む。通常、例えば、「次世代」／５Ｇシステムのコアネットワーク７は、特に、ＡＭＦ７１、ＮＷＤＡＦ７２、ＮＥＦ７６、ＵＤＭ／ＵＤＲ７５等のＣＰＦ（Ｃｏｎｔｒｏｌ  Ｐｌａｎｅ  Ｆｕｎｃｔｉｏｎ：制御プレーン機能）１０と、ＵＰＦ（Ｕｓｅｒ  Ｐｌａｎｅ  Ｆｕｎｃｔｉｏｎ：ユーザプレーン機能）１１と、を含む。この例では、コアネットワーク７は、少なくとも１つのＡＦ１２（例えば、インターネットを介して）及びＯＡＭ１３システムに結合される。また、コアネットワーク７は、他の機能を１つ以上含んでもよいものとする。コアネットワーク７から外部ＩＰネットワーク２０（インターネット等）への接続も提供される。
【０１５３】
このシステム１の構成要素は、上記の例示的な態様を実行するように構成される。
【０１５４】
（概要）
【０１５５】
さまざまなソリューションを以下に要約する。
【０１５６】
（ソリューション１）
１）登録手順での分析レポート通知のためのＵＥ能力。
２）サブスクリプションとユーザ同意ステータスを確認するための、ＵＤＭ／ＵＤＲ７５とのＵＥ分析レポートステータス検証。
３）登録手順及びＵＥ設定手順でのＵＥ分析能力レポートのアクティブ化／非アクティブ化。
４）ＵＥ統計データの収集とＮＷＤＡＦ７２への配信（ＵＥセル再選択の回数、ＵＥピンポン再選択の回数、サービス停止中のＵＥエントリ数、指定エリアへのＵＥのイン／アウト、ＵＥバッテリレベルの通知、ＵＥリンク障害、ＵＥコールドロップ等を含む）。
【０１５７】
（ソリューション２）
ソリューション１に加えて、ＵＤＭ／ＵＤＲ７５を介して、ネットワークエクスポージャ機能に基づくＵＥ分析情報の収集を行う。
【０１５８】
（ソリューション３）
ソリューション１に加えて、ＡＭＦ７１を介して、ネットワークエクスポージャ機能に基づくＵＥ分析情報の収集を行う。
【０１５９】
（ソリューション４）
１）サービスプロバイダ（ＡＦ）及びネットワークオペレータ（ＯＭＡ（Ｏｐｅｎ  Ｍｏｂｉｌｅ  Ａｌｌｉａｎｃｅ））による、ＵＥ分析データに関するユーザ同意の提供。
２）サブスクリプションデータとしてＵＤＭ／ＵＤＲ７５に記憶されたＵＥ分析ビットマップ及びＵＥ分析についてのユーザ同意。
３）ＮＡＳ（ＡＭＦ７１）及びＡＳ（（Ｒ）ＡＮ）ノード５０でのＵＥ分析についてのユーザ同意の更新。
【０１６０】
要約すると、ネットワークの自動化及び最適化のためのＵＥ分析支援の方法を説明する。当該方法には、以下のステップが含まれる：
【０１６１】
（ソリューション１について）
１）登録手順での分析レポート通知のためのＵＥ能力。
２）ＵＤＭ／ＵＤＲ７５からのＵＥ分析レポートステータスの取得。
３）登録手順でのＵＥ分析能力レポートのアクティブ化／非アクティブ化。
４）ＵＥ設定更新手順でのＵＥ分析能力レポートのアクティブ化／非アクティブ化。
５）ＵＥ統計データの収集とＮＷＤＡＦ７２への配信（セル再選択の回数、ピンポン再選択の回数、サービス停止中のエントリ数、指定エリアへのＵＥのイン／アウト、ＵＥバッテリレベルの通知、ＵＥリンク障害、ＵＥコールドロップ等を含む）。
６）ネットワークの自動化及び最適化を支援するための、ＮＷＤＡＦ７２によるＵＥ統計データ分析。
【０１６２】
（ソリューション２について）
ソリューション１に加えて、ＵＤＭ／ＵＤＲ７５を介して、ネットワークエクスポージャ機能に基づくＵＥ分析情報の収集を行う。
【０１６３】
（ソリューション３について）
ソリューション１に加えて、ＡＭＦ７１を介して、ネットワークエクスポージャ機能に基づくＵＥ分析情報の収集を行う。
【０１６４】
（ソリューション４について）
１）サービスプロバイダ（ＡＦ）及びネットワークオペレータ（ＯＭＡ）による、ＵＥ分析データに関するユーザ同意の提供。
２）サブスクリプションデータとしてＵＤＭ／ＵＤＲ７５に記憶されたＵＥ分析ビットマップ及びＵＥ分析についてのユーザ同意。
３）ＮＡＳ（ＡＭＦ７１）及びＡＳ（（Ｒ）ＡＮ）ノード５０でのＵＥ分析についてのユーザ同意の更新。
【０１６５】
（利点）
【０１６６】
本開示に記載の態様は、ネットワークの自動化及び最適化、並びにＵＥ３０のモニタリング及びパフォーマンスの向上を支援するために複数タイプの分析データ収集及びネットワーク配信を提供する。
【０１６７】
（変形例及び代替案）
【０１６８】
以上、本開示の態様を詳細に説明した。上記態様については複数の変形例及び代替案が可能であり、そのようにして具現化された発明であっても同様の利を得ることができることは当業者には明らかである。説明のため、これらの変形例及び代替案の例を一部のみ説明する。
【０１６９】
上記の任意のＮＡＳメッセージは、ＮＧ−（Ｒ）ＡＮノード（すなわち、ｇＮＢ）を介してＵＥ３０とＡＭＦ７１の間で送信することができる。
【０１７０】
更に、上記のシーケンス、手順、又はメッセージの一部は、１つ以上の開示を識別するために必ずしも必要ではない。
【０１７１】
本開示におけるユーザ装置３０（又は「ＵＥ」、「移動局」、「モバイルデバイス」又は「ワイヤレスデバイス」）は、無線インターフェースを介してネットワークに接続されるエンティティである。
【０１７２】
なお、本明細書におけるＵＥ３０は、専用の通信デバイスに限定されるものではなく、以下の段落で説明するように、本明細書で説明するＵＥ３０としての通信機能を有する任意のデバイスに適用可能であるものとする。
【０１７３】
「ユーザ装置」又は「ＵＥ」（この用語は３ＧＰＰで使用される）、「移動局」、「モバイルデバイス」、及び「ワイヤレスデバイス」という語は、広義に同義語となるように意図されており、端末、セルフォン、スマートフォン、タブレット、セルラＩｏＴデバイス、ＩｏＴデバイス、機械等のスタンドアロンの移動局を含む。
【０１７４】
また、「ＵＥ」及び「ワイヤレスデバイス」という語は、長時間静止した状態に留まるデバイスを包含するものとする。
【０１７５】
ＵＥ３０は、例えば、生産又は製造のための装置、及び／又はエネルギー関連の機械であってもよい（当該装置又は機械には、例えば、ボイラ、エンジン、タービン、ソーラパネル、風力タービン、水力発電機、火力発電機、原子力発電機、バッテリ、原子力システム及び／又は関連の装置、重電機械、真空ポンプなどを含むポンプ、コンプレッサ、ファン、ブロワ、油圧装置、空気圧装置、金属加工機械、マニピュレータ、ロボット及び／又はそれらの応用システム、ツール、金型又はダイ、ロール、搬送装置、昇降装置、資材処理装置、繊維機械、縫製機械、印刷及び／又は関連の機械、紙加工機械、化学機械、鉱業及び／又は建設機械及び／又は関連の装置、農業、林業及び／又は漁業のための機械及び／又は器具、安全及び／又は環境保全装置、トラクタ、精密ベアリング、チェーン、ギア、動力伝達装置、潤滑装置、バルブ、パイプ継手、及び／又は上記装置又は機械等の応用システム等が含まれる）。
【０１７６】
ＵＥ３０は、例えば、輸送用装置であってもよい（例えば、ローリングストック、自動車、モータサイクル、自転車、電車、バス、カート、人力車、船舶、他の船舶、航空機、ロケット、人工衛星、ドローン、気球等の輸送機器）。
【０１７７】
ＵＥ３０は、例えば、情報通信機器であってもよい（例えば、電子コンピュータ及び関連の機器、通信及び関連の機器、電子部品等の情報通信機器）。
【０１７８】
ＵＥ３０は、例えば、冷蔵機、冷蔵機応用品、商業及び／又はサービス産業用機器、自動販売機、自動サービス機、事務用機械又は機器、家庭用電気器具及び電子機器であってもよい（例えば、オーディオ機器、ビデオ機器、ラウドスピーカ、ラジオ、テレビ、電子レンジ、炊飯器、コーヒーメーカ、食器洗い機、洗濯機、ドライヤ、扇風機又は関連の機器、クリーナ等の家庭用電気器具を含む）。
【０１７９】
ＵＥ３０は、例えば、電気応用システム又は機器であってもよい（例えば、Ｘ線システム、粒子加速器、放射性物質応用装置、音波応用装置、電磁応用装置、電動応用装置等の電気応用システム又は機器）。
【０１８０】
ＵＥ３０は、例えば、電子ランプ、照明器具、測定機器、アナライザ、テスタ、又は監視／感知機器（例えば、煙報知器、対人警報センサ、モーションセンサ、無線タグ等の監視又は感知機器）、腕時計又は時計、実験装置、光学装置、医療機器及び／又はシステム、武器、刃物、手工具等であってもよい。
【０１８１】
ＵＥ３０は、例えば、無線対応のパーソナルデジタルアシスタント又は関連の機器（別の電子デバイス（例えば、パーソナルコンピュータ、電子計測器等）に取り付ける又は挿入するように設計された無線カード又はモジュール等）であってもよい。
【０１８２】
ＵＥ３０は、「モノのインターネット（ＩｏＴ）」に対し、様々な有線及び／又は無線通信技術を使用して、以下に説明するアプリケーション、サービス、及びソリューションを提供するデバイス又はシステムの一部であってもよい。
【０１８３】
モノのインターネットのデバイス（又は「モノ」）は、当該デバイスが相互に及び他の通信デバイスとデータ収集及び交換を行うことを可能にする適切な電子機器、ソフトウェア、センサ、ネットワーク接続等を備えてもよい。ＩｏＴデバイスは、内部メモリに記憶されたソフトウェアの命令に従う自動化機器で構成してもよい。ＩｏＴデバイスは、人間による監督や介入を必要とすることなく動作してもよい。また、ＭＴＣデバイスは、長時間静止状態及び／又は非アクティブ状態に留まることもある。ＩｏＴデバイスは、（通常）定常装置の一部として実装してもよい。ＩｏＴデバイスは、非定常装置（例えば、車両）に埋め込んでもよいし、モニタリング／トラッキング対象の動物や人に取り付けてもよい。
【０１８４】
ＩｏＴ技術は、データの送受信を行う通信ネットワークに接続することのできる任意の通信デバイス上で実装することができ、当該通信デバイスが人による入力によって制御されているか、又はメモリに記憶されたソフトウェア命令によって制御されているかは問わないものとする。
【０１８５】
ＩｏＴデバイスは、ＭＴＣ（Ｍａｃｈｉｎｅ−Ｔｙｐｅ  Ｃｏｍｍｕｎｉｃａｔｉｏｎ：機械型通信）デバイス、Ｍ２Ｍ（Ｍａｃｈｉｎｅ−ｔｏ−Ｍａｃｈｉｎｅ：マシン間）通信デバイス、又はＮＢ−ＩｏＴ  ＵＥ（Ｎａｒｒｏｗ  Ｂａｎｄ−ＩｏＴ  ＵＥ：狭帯域ＩｏＴ）と呼ばれることもある。ＵＥ３０は、１つ以上のＩｏＴ又はＭＴＣアプリケーションをサポートすることができるものとする。ＭＴＣアプリケーションの複数の例を表１（出典：３ＧＰＰ  ＴＳ２２．３６８［３］のアネックスＢ、その内容は参照により本明細書に組み込まれる）に列挙する。このリストは網羅的なものではなく、マシン型通信のアプリケーションの複数の例を示すことを目的としたものである。
【０１８６】
表１：マシン型通信アプリケーションの複数の例。
【表１】
2021535654.tif 000003
【０１８７】
アプリケーション、サービス、及びソリューションは、ＭＶＮＯ（Ｍｏｂｉｌｅ  Ｖｉｒｔｕａｌ  Ｎｅｔｗｏｒｋ  Ｏｐｅｒａｔｏｒ：仮想移動体通信事業者）サービス、緊急無線通信システム、ＰＢＸ（Ｐｒｉｖａｔｅ  Ｂｒａｎｃｈ  ｅＸｃｈａｎｇｅ：構内交換機）システム、ＰＨＳ（Ｐｅｒｓｏｎａｌ  Ｈａｎｄｙ−ｐｈｏｎｅ  Ｓｙｓｔｅｍ）／デジタルコードレス通信システム、ＰＯＳ（Ｐｏｉｎｔ  ｏｆ  Ｓａｌｅｓ：販売時点情報管理）システム、広告発信システム、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）、Ｖ２Ｘ（Ｖｅｈｉｃｌｅ  ｔｏ  Ｅｖｅｒｙｔｈｉｎｇ）システム、電車の無線システム、測位関連サービス、災害／緊急無線通信サービス、コミュニティサービス、ビデオストリーミングサービス、フェムトセルアプリケーションサービス、ＶｏＬＴＥ（Ｖｏｉｃｅ  ｏｖｅｒ  ＬＴＥ）サービス、充電サービス、ラジオオンデマンドサービス、ローミングサービス、行動モニタリングサービス、電気通信事業者／通信ＮＷ選択サービス、機能制限サービス、ＰｏＣ（Ｐｒｏｏｆ  ｏｆ  Ｃｏｎｃｅｐｔ：概念実証）サービス、個人情報管理サービス、アドホックネットワーク／ＤＴＮ（Ｄｅｌａｙ  Ｔｏｌｅｒａｎｔ  Ｎｅｔｗｏｒｋｉｎｇ：遅延耐性ネットワーク）サービス等であってもよい。
【０１８８】
更に、上記のＵＥカテゴリは、本文書に記載の技術的思想及び態様の適用例にすぎない。言うまでもなく、これらの技術的思想及び態様は、上記のＵＥに限定されず、様々な変更を加えることができる。
【０１８９】
上の説明では、ＵＥ３０、（Ｒ）ＡＮノード５０、及びコアネットワークノード７０は、理解を容易にするために、複数の個別モジュール（通信制御モジュール等）を有するものとして説明した。これらのモジュールは、例えば、本開示を実施するために既存のシステムに変更を加えた特定のアプリケーションについては、上述のような方法で提供することができるが、例えば、最初から本開示の特徴を念頭に置いて設計されたシステム等の他のアプリケーションについては、これらのモジュールをオペレーティングシステム又はコード全体に組み込んでもよく、この場合、これらのモジュールを個別のエンティティとして認識する必要はない。これらのモジュールは、ソフトウェア、ハードウェア、ファームウェア、又はこれらの組み合わせで実現してもよい。
【０１９０】
各コントローラは任意の形態の処理回路を含んでもよく、例えば、以下が含まれる（限定的ではない）：ハードウェアに実装された１つ以上のコンピュータプロセッサ；マイクロプロセッサ；ＣＰＵ；ＡＬＵ（Ａｒｉｔｈｍｅｔｉｃ  Ｌｏｇｉｃ  Ｕｎｉｔｓ：算術論理ユニット）；ＩＯ（Ｉｎｐｕｔ／Ｏｕｔｐｕｔ：入出力）回路；内部メモリ／キャッシュ（プログラム及び／又はデータ）；処理レジスタ；通信バス（例えば、制御、データ及び／又はアドレスバス）；ＤＭＡ（Ｄｉｒｅｃｔ  Ｍｅｍｏｒｙ  Ａｃｃｅｓｓ：ダイレクトメモリアクセス）機能；及びハードウェア又はソフトウェア実装されたカウンタ、ポインタ、タイマ等。
【０１９１】
上述の態様では、複数のソフトウェアモジュールを説明した。当業者であれば理解するように、ソフトウェアモジュールは、コンパイルされた形式又はコンパイルされていない形式で提供してもよいし、コンピュータネットワークを介した信号として、又は記録媒体上で、ＵＥ３０、（Ｒ）ＡＮノード５０、及びコアネットワークノード７０に供給してもよい。更に、このソフトウェアの一部又はすべてによって実行される機能は、１つ以上の専用ハードウェア回路を使用して実行してもよい。ただし、ソフトウェアモジュールは、ＵＥ３０、（Ｒ）ＡＮノード５０、及びコアネットワークノード７０の機能性向上のための更新をファシリテートするため、使用することが望ましい。
【０１９２】
上記の態様は、「非モバイル」又は一般に固定のユーザ機器にも適用可能である。
【０１９３】
種々の他の変更は、当業者にとって明らかであるため、ここでは更に詳細な説明は省略する。
【０１９４】
（略語と用語）
５ＧＣ：５Ｇ  Ｃｏｒｅ  Ｎｅｔｗｏｒｋ（５Ｇコアネットワーク）
５ＧＳ：５Ｇ  Ｓｙｓｔｅｍ（５Ｇシステム）
５Ｇ−ＡＮ：５Ｇ  Ａｃｃｅｓｓ  Ｎｅｔｗｏｒｋ（５Ｇアクセスネットワーク）
５Ｇ−ＧＵＴＩ：５Ｇ  Ｇｌｏｂａｌｌｙ  Ｕｎｉｑｕｅ  Ｔｅｍｐｏｒａｒｙ  Ｉｄｅｎｔｉｆｉｅｒ（５Ｇグローバル一意一時識別子）
５Ｇ  Ｓ−ＴＭＳＩ：５ＧＳＴｅｍｐｏｒａｒｙ  Ｍｏｂｉｌｅ  Ｓｕｂｓｃｒｉｐｔｉｏｎ  Ｉｄｅｎｔｉｆｉｅｒ（一時モバイルサブスクリプション識別子）
５ＱＩ：５Ｇ  ＱｏＳＩｄｅｎｔｉｆｉｅｒ（５Ｇ  ＱｏＳ識別子）
ＡＦ：Ａｐｐｌｉｃａｔｉｏｎ  Ｆｕｎｃｔｉｏｎ（アプリケーション機能）
ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ（アクセス及びモビリティ機能）
ＡＮ：Ａｃｃｅｓｓ  Ｎｏｄｅ（アクセスノード）
ＡＳ：Ａｃｃｅｓｓ  Ｓｔｒａｔｕｍ（アクセス層）
ＡＵＳＦ：Ａｕｔｈｅｎｔｉｃａｔｉｏｎ  Ｓｅｒｖｅｒ  Ｆｕｎｃｔｉｏｎ（認証サーバ機能）
ＣＭ：Ｃｏｎｎｅｃｔｉｏｎ  Ｍａｎａｇｅｍｅｎｔ（接続管理）
ＣＰ：Ｃｏｎｔｒｏｌ  Ｐｌａｎｅ（制御プレーン）
ＣＳＦＢ：Ｃｉｒｃｕｉｔ−Ｓｗｉｔｃｈｅｄ  Ｆａｌｌｂａｃｋ（回線交換フォールバック）
ＤＬ：Ｄｏｗｎｌｉｎｋ（ダウンリンク）
ＤＮ：Ｄａｔａ  Ｎｅｔｗｏｒｋ（データネットワーク）
ＤＮＡＩ：ＤＮ  Ａｃｃｅｓｓ  Ｉｄｅｎｔｉｆｉｅｒ（ＤＮアクセス識別子）
ＤＮＮ：Ｄａｔａ  Ｎｅｔｗｏｒｋ  Ｎａｍｅ（データネットワーク名）
ＥＤＴ：Ｅａｒｌｙ  Ｄａｔａ  Ｔｒａｎｓｍｉｓｓｉｏｎ（アーリーデータ送信）
ＥＰＳ：Ｅｖｏｌｖｅｄ  Ｐａｃｋｅｔ  Ｓｙｓｔｅｍ（進化型パケットシステム）
ＥＰＣ：Ｅｖｏｌｖｅｄ  Ｐａｃｋｅｔ  Ｃｏｒｅ（進化型パケットコア）
ＦＱＤＮ：Ｆｕｌｌｙ  Ｑｕａｌｉｆｉｅｄ  Ｄｏｍａｉｎ  Ｎａｍｅ（完全修飾ドメイン名）
ＧＦＢＲ：Ｇｕａｒａｎｔｅｅｄ  Ｆｌｏｗ  Ｂｉｔ  Ｒａｔｅ（保証フロービットレート）
ＧＭＬＣ：Ｇａｔｅｗａｙ  Ｍｏｂｉｌｅ  Ｌｏｃａｔｉｏｎ  Ｃｅｎｔｒｅ（ゲートウェイモバイル測位センター）
ＧＰＳＩ：Ｇｅｎｅｒｉｃ  Ｐｕｂｌｉｃ  Ｓｕｂｓｃｒｉｐｔｉｏｎ  Ｉｄｅｎｔｉｆｉｅｒ（ジェネリックパブリックサブスクリプション識別子）
ＧＵＡＭＩ：Ｇｌｏｂａｌｌｙ  Ｕｎｉｑｕｅ  ＡＭＦ  Ｉｄｅｎｔｉｆｉｅｒ（グローバル一意ＡＭＦ識別子）
ＨＰＬＭＮ：Ｈｏｍｅ  Ｐｕｂｌｉｃ  ｌａｎｄ  ｍｏｂｉｌｅ  ｎｅｔｗｏｒｋ（国内地上波公共移動通信ネットワーク）
ＨＲ：Ｈｏｍｅ  Ｒｏｕｔｅｄ  （ｒｏａｍｉｎｇ）（ホームルーテッド（ローミング））
Ｉ−ＲＮＴＩ：Ｉｎａｃｔｉｖｅ  Ｒａｄｉｏ  Ｎｅｔｗｏｒｋ  Ｔｅｍｐｏｒａｒｙ  Ｉｄｅｎｔｉｆｉｅｒ（非アクティブ無線ネットワーク一時識別子）
ＬＡＤＮ：Ｌｏｃａｌ  Ａｒｅａ  Ｄａｔａ  Ｎｅｔｗｏｒｋ（ローカルエリアデータネットワーク）
ＬＢＯ：Ｌｏｃａｌ  Ｂｒｅａｋ  Ｏｕｔ  （ｒｏａｍｉｎｇ）（ローカルブレークアウト（ローミング））
ＬＭＦ：Ｌｏｃａｔｉｏｎ  Ｍａｎａｇｅｍｅｎｔ  Ｆｕｎｃｔｉｏｎ（測位管理機能）
ＬＲＦ：Ｌｏｃａｔｉｏｎ  Ｒｅｔｒｉｅｖａｌ  Ｆｕｎｃｔｉｏｎ（位置取得機能）
ＭＡＣ：Ｍｅｄｉｕｍ  Ａｃｃｅｓｓ  Ｃｏｎｔｒｏｌ（メディアアクセス制御）
ＭＦＢＲ：Ｍａｘｉｍｕｍ  Ｆｌｏｗ  Ｂｉｔ  Ｒａｔｅ（最大フロービットレート）
ＭＩＣＯ：Ｍｏｂｉｌｅ  Ｉｎｉｔｉａｔｅｄ  Ｃｏｎｎｅｃｔｉｏｎ  Ｏｎｌｙ（モバイル開始接続専用）
ＭＭＥ：Ｍｏｂｉｌｉｔｙ  Ｍａｎａｇｅｍｅｎｔ  Ｅｎｔｉｔｙ（モビリティ管理エンティティ）
Ｎ３ＩＷＦ：Ｎｏｎ−３ＧＰＰ  Ｉｎｔｅｒ−Ｗｏｒｋｉｎｇ  Ｆｕｎｃｔｉｏｎ（非３ＧＰＰインターワーキング機能）
ＮＡＩ：Ｎｅｔｗｏｒｋ  Ａｃｃｅｓｓ  Ｉｄｅｎｔｉｆｉｅｒ（ネットワークアクセス識別子）
ＮＡＳ：Ｎｏｎ−Ａｃｃｅｓｓ  Ｓｔｒａｔｕｍ（非アクセス層）
ＮＥＦ：Ｎｅｔｗｏｒｋ  Ｅｘｐｏｓｕｒｅ  Ｆｕｎｃｔｉｏｎ（ネットワークエクスポージャ機能）
ＮＦ：Ｎｅｔｗｏｒｋ  Ｆｕｎｃｔｉｏｎ（ネットワーク機能）
ＮＧ−ＲＡＮ：Ｎｅｘｔ  Ｇｅｎｅｒａｔｉｏｎ  Ｒａｄｉｏ  Ａｃｃｅｓｓ  Ｎｅｔｗｏｒｋ（次世代無線アクセスネットワーク）
ＮＲ：Ｎｅｗ  Ｒａｄｉｏ（ニューラジオ）
ＮＲＦ：Ｎｅｔｗｏｒｋ  Ｒｅｐｏｓｉｔｏｒｙ  Ｆｕｎｃｔｉｏｎ（ネットワークリポジトリ機能）
ＮＳＩ  ＩＤ：Ｎｅｔｗｏｒｋ  Ｓｌｉｃｅ  Ｉｎｓｔａｎｃｅ  Ｉｄｅｎｔｉｆｉｅｒ（ネットワークスライスインスタンス識別子）
ＮＳＳＡＩ：Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ（ネットワークスライス選択アシスタンス情報）
ＮＳＳＦ：Ｎｅｔｗｏｒｋ  Ｓｌｉｃｅ  Ｓｅｌｅｃｔｉｏｎ  Ｆｕｎｃｔｉｏｎ（ネットワークスライス選択機能）
ＮＳＳＰ：Ｎｅｔｗｏｒｋ  Ｓｌｉｃｅ  Ｓｅｌｅｃｔｉｏｎ  Ｐｏｌｉｃｙ（ネットワークスライス選択ポリシー）
ＰＣＦ：Ｐｏｌｉｃｙ  Ｃｏｎｔｒｏｌ  Ｆｕｎｃｔｉｏｎ（ポリシー制御機能）
ＰＥＩ：Ｐｅｒｍａｎｅｎｔ  Ｅｑｕｉｐｍｅｎｔ  Ｉｄｅｎｔｉｆｉｅｒ（パーマネント機器識別子）
ＰＥＲ：Ｐａｃｋｅｔ  Ｅｒｒｏｒ  Ｒａｔｅ（パケットエラーレート）
ＰＦＤ：Ｐａｃｋｅｔ  Ｆｌｏｗ  Ｄｅｓｃｒｉｐｔｉｏｎ（パケットフローデスクリプション）
ＰＬＭＮ：Ｐｕｂｌｉｃ  ｌａｎｄ  ｍｏｂｉｌｅ  ｎｅｔｗｏｒｋ（地上波公共移動通信ネットワーク）
ＰＰＤ：Ｐａｇｉｎｇ  Ｐｏｌｉｃｙ  Ｄｉｆｆｅｒｅｎｔｉａｔｉｏｎ（ページングポリシー差別化）
ＰＰＩ：Ｐａｇｉｎｇ  Ｐｏｌｉｃｙ  Ｉｎｄｉｃａｔｏｒ（ページングポリシーインジケータ）
ＰＳＡ：ＰＤＵ  Ｓｅｓｓｉｏｎ  Ａｎｃｈｏｒ（ＰＤＵセッションアンカ）
ＱＦＩ：ＱｏＳ  Ｆｌｏｗ  Ｉｄｅｎｔｉｆｉｅｒ（ＱｏＳフロー識別子）
ＱｏＥ：Ｑｕａｌｉｔｙ  ｏｆ  Ｅｘｐｅｒｉｅｎｃｅ（体感品質）
（Ｒ）ＡＮ：（Ｒａｄｉｏ）  Ａｃｃｅｓｓ  Ｎｅｔｗｏｒｋ（（無線）アクセスネットワーク）
ＲＬＣ：Ｒａｄｉｏ  Ｌｉｎｋ  Ｃｏｎｔｒｏｌ（無線リンク制御）
ＲＭ：Ｒｅｇｉｓｔｒａｔｉｏｎ  Ｍａｎａｇｅｍｅｎｔ（登録管理）
ＲＱＡ：Ｒｅｆｌｅｃｔｉｖｅ  ＱｏＳ  Ａｔｔｒｉｂｕｔｅ（リフレクティブＱｏＳ属性）
ＲＱＩ：Ｒｅｆｌｅｃｔｉｖｅ  ＱｏＳ  Ｉｎｄｉｃａｔｉｏｎ（リフレクティブＱｏＳ指示）
ＲＲＣ：Ｒａｄｉｏ  Ｒｅｓｏｕｒｃｅ  Ｃｏｎｔｒｏｌ（無線リソース制御）
ＳＡ  ＮＲ：Ｓｔａｎｄａｌｏｎｅ  Ｎｅｗ  Ｒａｄｉｏ（スタンドアロンニューラジオ）
ＳＢＡ：Ｓｅｒｖｉｃｅ  Ｂａｓｅｄ  Ａｒｃｈｉｔｅｃｔｕｒｅ（サービスベースアーキテクチャ）
ＳＢＩ：Ｓｅｒｖｉｃｅ  Ｂａｓｅｄ  Ｉｎｔｅｒｆａｃｅ（サービスベースインターフェース）
ＳＤ：Ｓｌｉｃｅ  Ｄｉｆｆｅｒｅｎｔｉａｔｏｒ（スライス区分子）
ＳＤＡＰ：Ｓｅｒｖｉｃｅ  Ｄａｔａ  Ａｄａｐｔａｔｉｏｎ  Ｐｒｏｔｏｃｏｌ（サービスデータ適応プロトコル）
ＳＥＡＦ：Ｓｅｃｕｒｉｔｙ  Ａｎｃｈｏｒ  Ｆｕｎｃｔｉｏｎａｌｉｔｙ（セキュリティアンカ機能）
ＳＥＰＰ：Ｓｅｃｕｒｉｔｙ  Ｅｄｇｅ  Ｐｒｏｔｅｃｔｉｏｎ  Ｐｒｏｘｙ（セキュリティエッジプロテクションプロキシ）
ＳＭＦ：Ｓｅｓｓｉｏｎ  Ｍａｎａｇｅｍｅｎｔ  Ｆｕｎｃｔｉｏｎ（セッション管理機能）
Ｓ−ＮＳＳＡＩ：Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ（シングルネットワークスライス選択アシスタンス情報）
ＳＳＣ：Ｓｅｓｓｉｏｎ  ａｎｄ  Ｓｅｒｖｉｃｅ  Ｃｏｎｔｉｎｕｉｔｙ（セッション及びサービス継続性）
ＳＳＴ：Ｓｌｉｃｅ／Ｓｅｒｖｉｃｅ  Ｔｙｐｅ（スライス／サービスタイプ）
ＳＵＣＩ：Ｓｕｂｓｃｒｉｐｔｉｏｎ  Ｃｏｎｃｅａｌｅｄ  Ｉｄｅｎｔｉｆｉｅｒ（暗号化サブスクリプション識別子）
ＳＵＰＩ：Ｓｕｂｓｃｒｉｐｔｉｏｎ  Ｐｅｒｍａｎｅｎｔ  Ｉｄｅｎｔｉｆｉｅｒ（サブスクリプションパーマネント識別子）
ＵＤＳＦ：Ｕｎｓｔｒｕｃｔｕｒｅｄ  Ｄａｔａ  Ｓｔｏｒａｇｅ  Ｆｕｎｃｔｉｏｎ（非構造化データストレージ機能）
ＵＬ：Ｕｐｌｉｎｋ（アップリンク）
ＵＬ  ＣＬ：Ｕｐｌｉｎｋ  Ｃｌａｓｓｉｆｉｅｒ（アップリンククラシファイア）
ＵＰＦ：Ｕｓｅｒ  Ｐｌａｎｅ  Ｆｕｎｃｔｉｏｎ（ユーザプレーン機能）
ＵＤＲ：Ｕｎｉｆｉｅｄ  Ｄａｔａ  Ｒｅｐｏｓｉｔｏｒｙ（統合データリポジトリ）
ＵＲＳＰ：ＵＥ  Ｒｏｕｔｅ  Ｓｅｌｅｃｔｉｏｎ  Ｐｏｌｉｃｙ（ＵＥルート選択ポリシー）
ＶＰＬＭＮ：Ｖｉｓｉｔｅｄ  Ｐｕｂｌｉｃ  ｌａｎｄ  ｍｏｂｉｌｅ  ｎｅｔｗｏｒｋ（訪問先地上波公共移動通信ネットワーク）
ＳＭＳ：Ｓｈｏｒｔ  Ｍｅｓｓａｇｅ  Ｓｅｒｖｉｃｅ（ショートメッセージサービス）
ＳＭＳＦ：ＳＭＳ  Ｆｕｎｃｔｉｏｎ（ＳＭＳ機能）
ＭＴ：Ｍｏｂｉｌｅ  Ｔｅｒｍｉｎａｔｅｄ（モバイル受信）
ＵＡＣ：Ｕｎｉｆｉｅｄ  Ａｃｃｅｓｓ  Ｃｏｎｔｒｏｌ（統合アクセス制御）
ＯＤＡＣＤ：Ｏｐｅｒａｔｏｒ  Ｄｅｆｉｎｅｄ  Ａｃｃｅｓｓ  Ｃａｔｅｇｏｒｙ  Ｄｅｆｉｎｉｔｉｏｎｓ（オペレータ定義アクセスカテゴリ分類）
ＯＳ：Ｏｐｅｒａｔｉｎｇ  Ｓｙｓｔｅｍ（オペレーティングシステム）
【０１９５】
（定義）
【０１９６】
本文書の目的上、３ＧＰＰ  ＴＲ２１．９０５［１］及び以下の文献に記載の語及び定義が適用する。本文書において語を定義した場合には、３ＧＰＰ  ＴＲ２１．９０５［１］における同一の語の定義よりも優先するものとする。
【先行技術文献】
【非特許文献】
【０１９７】
【非特許文献１】３ＧＰＰ  ＴＲ２１．９０５：“Ｖｏｃａｂｕｌａｒｙ  ｆｏｒ  ３ＧＰＰ  Ｓｐｅｃｉｆｉｃａｔｉｏｎｓ”．Ｖ１５．０．０（２０１８−０３）
【非特許文献２】３ＧＰＰ  ＴＳ２３．５０１：“Ｓｙｓｔｅｍ  Ａｒｃｈｉｔｅｃｔｕｒｅ  ｆｏｒ  ｔｈｅ  ５Ｇ  Ｓｙｓｔｅｍ；Ｓｔａｇｅ  ２”．Ｖ１５．２．０（２０１８−０６）
【非特許文献３】３ＧＰＰ  ＴＳ２３．５０２：“Ｐｒｏｃｅｄｕｒｅｓ  ｆｏｒ  ｔｈｅ  ５Ｇ  Ｓｙｓｔｅｍ；Ｓｔａｇｅ  ２”．Ｖ１５．２．０（２０１８−０６）
【非特許文献４】３ＧＰＰ  ＴＳ２４．５０１：“Ｎｏｎ−Ａｃｃｅｓｓ−Ｓｔｒａｔｕｍ  ｐｒｏｔｏｃｏｌ  Ｓｔａｇｅ  ３”．Ｖ１５．０．０（ＮＡＳ）（２０１８−０６）
【０１９８】
以上、複数の態様を参照して本開示を説明したが、本開示は上記の例示的な態様に限定されるものではない。本開示の構成及び詳細は、本開示の範囲内で当業者が理解し得る様々な形で変更が可能である。
【０１９９】
本出願は、２０１８年９月２６日出願の欧州特許出願第１８１９７０１４．６号に基づく優先権の利益を主張する。この開示の内容は、全てここに含めておく。
【符号の説明】
【０２００】
１      通信システム
３      モバイルデバイス
５      基地局
７      コアネットワーク
１０    ＣＰＦ
１１    ＵＰＦ
１２    ＡＦ
１３    ＯＡＭ
２０    外部ＩＰネットワーク
３０    ＵＥ
３１０  アンテナ
３２０  トランシーバ回路
３３０  コントローラ
３４０  メモリ
３４１  オペレーティングシステム
３４２  通信制御モジュール
３４３  トランシーバ制御モジュール
３５０  ユーザインターフェース
７１    ＡＭＦ
７１１  トランシーバ回路
７２１  コントローラ
７３５  メモリ
７３６  オペレーティングシステム
７３７  通信制御モジュール
７３８  トランシーバ制御モジュール
７４１  ネットワークインターフェース
７２    ＮＷＤＡＦ
７３    Ｖ−ＮＷＤＡＦ
７４    Ｈ−ＮＷＤＡＦ
７５    ＵＤＭ／ＵＤＲ
７６    ＮＥＦ
５０    （Ｒ）ＡＮノード
５１０  アンテナ
５２０  トランシーバ回路
５３０  コントローラ
５４０  メモリ
５４１  オペレーティングシステム
５４２  通信制御モジュール
５４３  トランシーバ制御モジュール
５５０  ネットワークインターフェース
７０    コアネットワークノード
７１０  トランシーバ回路
７２０  コントローラ
７３０  メモリ
７３１  オペレーティングシステム
７３２  通信制御モジュール
７３３  トランシーバ制御モジュール
７４０  ネットワークインターフェース
【図１】
2021535654.tif 000004
【図２】
2021535654.tif 000005
【図３】
2021535654.tif 000006
【図４】
2021535654.tif 000007
【図５】
2021535654.tif 000008
【図６】
2021535654.tif 000009
【図７】
2021535654.tif 000010
【図８】
2021535654.tif 000011
【図９】
2021535654.tif 000012
【手続補正書】
【提出日】令和3年2月18日(2021.2.18)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）による隣接セルとの間のセル再選択の数を示す分析情報を受信する受信手段と、
第１の期間内での前記隣接セルとのセル再選択回数が閾値に達したか否かに基づいて準正常ＵＥ（ａｂｎｏｒｍａｌ  ＵＥ）であると判定する判定手段と、
前記判定に基づいて他のネットワークノードに、前記分析情報が前記例外にマッチしたことを通知する通知手段と、を備える、
ネットワークデータ分析機能ノード（ＮＷＤＡＦ）。
【請求項２】
前記通知は、モビリティ管理のためのコアネットワークノードに、前記例外を解決するためにＵＥ登録エリアを調節させる、
請求項１に記載のネットワークデータ分析機能ノード。
【請求項３】
前記通知は、モビリティ管理のためのコアネットワークノードに、ＵＥ登録エリアのサイズと形状とをＵＥのモビリティに調節させる、
請求項１または２に記載のネットワークデータ分析機能ノード。
【請求項４】
前記通知は、サービスプロバイダに、前記例外を解決するためにＵＥ登録エリアを調節させる、
請求項１乃至３のいずれか１項に記載のネットワークデータ分析機能ノード。
【請求項５】
前記例外は、“ピンポン状態のＵＥ”という情報を含む、
請求項１乃至４のいずれか１項に記載のネットワークデータ分析機能ノード。
【請求項６】
モビリティ管理用のコアネットワークノードであって、
ユーザ装置（ＵＥ）における第１の期間内での隣接セルとの間のセル再選択の数を示す分析情報を送信する送信手段と、
前記分析情報が例外とマッチしたことを示す情報をネットワークデータ分析機能ノード（ＮＷＤＡＦ）から受信する受信手段と、
を備え、
前記情報は、前記モビリティ管理用のコアネットワークノードに前記例外を解決するための動作をさせるものである、
モビリティ管理用のコアネットワークノード。
【請求項７】
前記動作は、前記例外を解決するためにＵＥ登録エリアを調節することを含む、
請求項６に記載のモビリティ管理用のコアネットワークノード。
【請求項８】
前記動作は、ＵＥ登録エリアのサイズと形状とをＵＥのモビリティに調節することを含む、
請求項６又は７に記載のモビリティ管理用のコアネットワークノード。
【請求項９】
ユーザ装置（ＵＥ）による隣接セルとの間のセル再選択の数を示す分析情報を受信することと、
第１の期間内での前記隣接セルとのセル再選択回数が閾値に達したか否かに基づいて準正常ＵＥ（ａｂｎｏｒｍａｌ  ＵＥ）であると判定することと、
前記判定に基づいて、他のネットワークノードに、前記分析情報が例外にマッチしたことを通知することと、を含む、
ネットワークデータ分析方法。
【請求項１０】
モビリティ管理用のコアネットワークノードにおける制御方法であって、
ユーザ装置（ＵＥ）における第１の期間内での隣接セルとの間のセル再選択の数を示す分析情報を送信することと、
前記分析情報が例外とマッチしたことを示す情報をネットワークデータ分析機能ノード（ＮＷＤＡＦ）から受信することと、を含み、
前記情報は、前記モビリティ管理用のコアネットワークノードに前記例外を解決するための動作をさせるものである、制御方法。
【手続補正３】
【補正対象書類名】明細書
【補正対象項目名】００１４
【補正方法】変更
【補正の内容】
【００１４】
本開示の一態様によれば、ネットワークデータ分析機能ノード（ＮＷＤＡＦ）は、ユーザ装置（ＵＥ）による隣接セルとの間のセル再選択の数を示す分析情報を受信する受信手段と、第１の期間内での前記隣接セルとのセル再選択回数が閾値に達したか否かに基づいて準正常ＵＥ（ａｂｎｏｒｍａｌ  ＵＥ）であると判定する判定手段と、前記判定に基づいて他のネットワークノードに、前記分析情報が前記例外にマッチしたことを通知する通知手段と、を備える。
【手続補正４】
【補正対象書類名】明細書
【補正対象項目名】００１５
【補正方法】変更
【補正の内容】
【００１５】
本開示の別の一態様によれば、モビリティ管理用のコアネットワークノードは、ユーザ装置（ＵＥ）における第１の期間内での隣接セルとの間のセル再選択の数を示す分析情報を送信する送信手段と、前記分析情報が例外とマッチしたことを示す情報をネットワークデータ分析機能ノード（ＮＷＤＡＦ）から受信する受信手段と、を備え、前記情報は、前記モビリティ管理用のコアネットワークノードに前記例外を解決するための動作をさせるものである。
【手続補正５】
【補正対象書類名】明細書
【補正対象項目名】００１６
【補正方法】変更
【補正の内容】
【００１６】
本開示の別の一態様によれば、ネットワークデータ分析方法は、ユーザ装置（ＵＥ）による隣接セルとの間のセル再選択の数を示す分析情報を受信することと、第１の期間内での前記隣接セルとのセル再選択回数が閾値に達したか否かに基づいて準正常ＵＥ（ａｂｎｏｒｍａｌ  ＵＥ）であると判定することと、前記判定に基づいて、他のネットワークノードに、前記分析情報が例外にマッチしたことを通知することと、を含む。
【手続補正６】
【補正対象書類名】明細書
【補正対象項目名】００１７
【補正方法】変更
【補正の内容】
【００１７】
本開示の別の一態様によれば、モビリティ管理用のコアネットワークノードにおける制御方法は、ユーザ装置（ＵＥ）における第１の期間内での隣接セルとの間のセル再選択の数を示す分析情報を送信することと、前記分析情報が例外とマッチしたことを示す情報をネットワークデータ分析機能ノード（ＮＷＤＡＦ）から受信することと、を含み、前記情報は、前記モビリティ管理用のコアネットワークノードに前記例外を解決するための動作をさせるものである。
【手続補正７】
【補正対象書類名】明細書
【補正対象項目名】０１２９
【補正方法】変更
【補正の内容】
【０１２９】
３．ＮＡＳユーザ同意更新（ＵＥ＿Ｉｄ、分析同意ビットマップ）
−ＵＥ分析同意情報（ＵＥ３０がサブスクライブしている分析データのタイプに応じて、単一タイプの分析データごとの又は分析データのセットごとのＵＥ分析同意情報）は、ＡＭＦ７１に（例えば、位置更新手順で、或いは、Ｎｕｄｍ＿ＳＤＭ＿Ｇｅｔ／Ｒｅｓｐｏｎｓｅ手順や、ＡＭＦ７１がＵＥ分析データ収集及びレポートのためにＵＥサブスクリプション情報を取得して、ＵＤＭ／ＵＤＲ７５からユーザ同意を取得する、他の名称の手順を介して）提供される。これは、ＵＥ分析データ収集（すなわち、トレースセッション）がＡＭＦ７１によって開始される場合に必要となる。
【国際調査報告】
2021535654.tif 000013
2021535654.tif 000014
2021535654.tif 000015
2021535654.tif 000016
2021535654.tif 000017